(57)【要約】  無線通信システムにおける装置及び方法である。当該装置は、処理回路を含み、当該処理回路は、チャネル状態情報−参照信号ＣＳＩ−ＲＳマッピング構造に基づいて、Ｐ２プロセス及び／又はＰ３プロセス中におけるアイドルリソース要素を確定し、Ｐ２プロセスにおいて送信ビーム走査のみが行われ、Ｐ３プロセスにおいて受信ビーム走査のみが行われ、また、アイドルリソース要素とは、ＣＳＩ−ＲＳによって占有されるＯＦＤＭシンボル内のＣＳＩ−ＲＳによって占有されていないリソース要素であり、Ｐ２プロセス及び／又はＰ３プロセスが行われるときに、アイドルリソース要素を利用してデータ及び／又は制御情報をユーザー装置に送信するように基地局を制御するように配置されている。【選択図】図６
2020522942.tif 000002
【特許請求の範囲】
【請求項１】
無線通信システムにおける装置であって、前記装置は処理回路を含み、前記処理回路は、
チャネル状態情報−参照信号ＣＳＩ−ＲＳマッピング構造に基づいて、Ｐ２プロセス及び／又はＰ３プロセスにおけるアイドルリソース要素を確定し、その中、前記Ｐ２プロセスにおいて送信ビーム走査のみが行われ、前記Ｐ３プロセスにおいて受信ビーム走査のみが行われ、また、前記アイドルリソース要素とは、ＣＳＩ−ＲＳによって占有されるＯＦＤＭシンボル内のＣＳＩ−ＲＳによって占有されていないリソース要素であり、
前記Ｐ２プロセス及び／又はＰ３プロセスを行うときに、前記アイドルリソース要素を利用してデータ及び／又は制御情報をユーザー装置に送信するように基地局を制御するように配置される、装置。
【請求項２】
前記処理回路はさらに、
前記基地局が前記Ｐ２プロセス及び／又は前記Ｐ３プロセスを行うことをトリガーするユーザー装置の数に基づき、前記Ｐ２プロセス及び／又は前記Ｐ３プロセスにおけるアイドルリソース要素の利用をオンにするかどうかを確定し、確定結果を各ユーザー装置に通知し、
前記アイドルリソース要素の利用をオンにすることを確定した場合、各ユーザー装置に対して、前記アイドルリソース要素を利用してデータ及び／又は制御情報を当該ユーザー装置に送信するように前記基地局を制御するように配置される、請求項１に記載の装置。
【請求項３】
前記処理回路はさらに、前記数が第１の閾値よりも低い場合、前記アイドルリソース要素の利用をオフにすることを確定するように配置される、請求項２に記載の装置。
【請求項４】
前記処理回路はさらに、前記数が第２の閾値よりも高い場合、セル範囲全体でのビーム走査プロセスを行うことを確定するように配置される、請求項２に記載の装置。
【請求項５】
前記処理回路はさらに、前記数が第１の閾値と第２の閾値との間にある場合、前記アイドルリソース要素の利用をオンにすることを確定し、前記第１の閾値が前記第２の閾値よりも小さいように配置される、請求項２に記載の装置。
【請求項６】
前記処理回路はさらに、セル範囲全体でのビーム走査プロセスを行うことを確定した場合、前記基地局に対応するセル範囲内の全てのユーザー装置に対してＣＳＩ−ＲＳマッピング構造を配置するように配置される、請求項４に記載の装置。
【請求項７】
前記処理回路はさらに、同じサブキャリアにおける全てのアイドルリソース要素を利用して同じデータ及び／又は制御情報を送信するように前記基地局を制御するように配置される、請求項１に記載の装置。
【請求項８】
前記処理回路はさらに、ＣＳＩ−ＲＳによって占有される１つのＯＦＤＭシンボルの前記アイドルリソース要素において、当該ＯＦＤＭシンボルを占有するＣＳＩ−ＲＳを送信するための送信ビームと同じ送信ビームでデータ及び／又は制御情報を送信するように前記基地局を制御するように配置される、請求項１に記載の装置。
【請求項９】
前記処理回路はさらに、前記Ｐ２プロセスを行うときに、前記ＣＳＩ−ＲＳマッピング構造に基づき、ビーム走査に使用される１つのＯＦＤＭシンボルが１つの走査されるべき送信ビームに対応するように送信ＣＳＩ−ＲＳを送信するように前記基地局を制御するように配置される、請求項１に記載の装置。
【請求項１０】
前記処理回路はさらに、前記Ｐ３プロセスを行うときに、前記ＣＳＩ−ＲＳマッピング構造に基づき、ビーム走査に使用される全てのＯＦＤＭシンボルが同じ送信ビームに対応するようにＣＳＩ−ＲＳを送信するように前記基地局を制御するように配置される、請求項１に記載の装置。
【請求項１１】
前記処理回路はさらに、各ユーザー装置に対して、少なくとも走査されるべき送信ビーム及び／又は受信ビームの数及びサブサンプリングファクタに基づき、前記ＣＳＩ−ＲＳマッピング構造を配置し、前記ＣＳＩ−ＲＳマッピング構造をユーザー装置に通知するように配置される、請求項１に記載の装置。
【請求項１２】
前記処理回路はさらに、各ユーザー装置に対して、１つのリソースブロックに含まれるＯＦＤＭシンボルがそれぞれ、ビーム走査に使用されるＣＳＩ−ＲＳ及びチャネル状態情報ＣＳＩフィードバックに使用されるＣＳＩ−ＲＳによって占有されるように前記ＣＳＩ−ＲＳマッピング構造を配置するように配置される、請求項１１に記載の装置。
【請求項１３】
前記処理回路はさらに、  各ユーザー装置に対して、走査されるべき送信ビーム及び／又は受信ビームの数に基づき、１つのリソースブロックにおけるビーム走査に使用されるＣＳＩ−ＲＳによって占有されるＯＦＤＭシンボルを確定し、ビーム走査に使用されるＣＳＩ−ＲＳによって占有されるＯＦＤＭシンボルに基づき、１つのリソースブロックにおけるＣＳＩフィードバックに使用されるＣＳＩ−ＲＳによって占有されるＯＦＤＭシンボルを確定し、これにより、前記ＣＳＩ−ＲＳマッピング構造を配置するように配置される、請求項１２に記載の装置。
【請求項１４】
前記処理回路はさらに、各ユーザー装置に対して、１つのリソースブロックにおいてビーム走査に使用されるＣＳＩ−ＲＳによって占有されるＯＦＤＭシンボルがＣＳＩフィードバックに使用されるＣＳＩ−ＲＳによって占有されるＯＦＤＭシンボルの前に配置されるように前記ＣＳＩ−ＲＳマッピング構造を配置するように配置される、請求項１２又は１３に記載の装置。
【請求項１５】
前記処理回路はさらに、前記ＣＳＩ−ＲＳマッピング構造をビットマップ形式で表すように配置される、請求項１２に記載の装置。
【請求項１６】
前記処理回路はさらに、１つのリソースブロックにおける各サブキャリアが１つのビットシーケンスに対応するように前記ビットマップを生成し、その中、各サブキャリアにおけるＣＳＩ−ＲＳによって占有されるリソース要素が１として表され、ＣＳＩ−ＲＳによって占有されていないリソース要素が０として表されるように配置される、請求項１５に記載の装置。
【請求項１７】
前記処理回路はさらに、２つのサブキャリアに対応するビットシーケンス、サブサンプリングファクタを指示するビットシーケンス、及びビーム走査に使用されるＣＳＩ−ＲＳによって占有されるＯＦＤＭシンボルの数を指示するビットシーケンスを少なくとも送信するように前記基地局を制御することによって、前記ＣＳＩ−ＲＳマッピング構造をユーザー装置に通知し、前記サブサンプリングファクタにはビーム走査に使用されるサブサンプリングファクタ及びＣＳＩフィードバックに使用されるサブサンプリングファクタが含まれるように配置される、請求項１６に記載の装置。
【請求項１８】
前記ＣＳＩ−ＲＳマッピング構造では、ＣＳＩ−ＲＳによって占有されるリソース要素は同じ又は異なるアンテナポートに対応する、請求項１から１７のいずれか１項に記載の装置。
【請求項１９】
前記ＣＳＩ−ＲＳマッピング構造では、ＣＳＩ−ＲＳによって占有されるＯＦＤＭシンボルは連続的又は不連続的である、請求項１から１７のいずれか１項に記載の装置。
【請求項２０】
前記装置はさらに前記基地局としても動作し、前記装置はさらに、
外部装置との通信を実行するように配置される通信ユニットを含む、請求項１から１７のいずれか１項に記載の装置。
【請求項２１】
無線通信システムにおける装置であって、前記装置は処理回路を含み、前記処理回路は、
基地局によって通知されるチャネル状態情報−参照信号ＣＳＩ−ＲＳマッピング構造に基づき、前記基地局がＰ２プロセス及び／又はＰ３プロセスを行うときにアイドルリソース要素を利用して送信するデータ及び／又は制御情報を受信するようにユーザー装置を制御するように配置され、  
前記Ｐ２プロセスにおいて送信ビーム走査のみが行われ、前記Ｐ３プロセスにおいて受信ビーム走査のみが行われ、また、前記アイドルリソース要素とは前記ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素である、装置。
【請求項２２】
前記処理回路はさらに、前記基地局からの、前記Ｐ２プロセス及び／又は前記Ｐ３プロセスにおけるアイドルリソース要素の利用をオンにするかどうかに関する確定結果に基づき、前記基地局が前記Ｐ２プロセス及び／又は前記Ｐ３プロセスを行うときに前記アイドルリソース要素を利用して送信するデータ及び／又は制御情報を受信するようにユーザー装置を制御するように配置される、請求項２１に記載の装置。
【請求項２３】
前記処理回路はさらに、前記Ｐ２プロセスを行うときに、前記基地局が異なる走査されるべき送信ビームを利用して送信するＣＳＩ−ＲＳ、データ及び／又は制御情報を、同じ受信ビームを利用して受信するようにユーザー装置を制御するように配置される、請求項２１に記載の装置。
【請求項２４】
前記処理回路はさらに、前記Ｐ３プロセスを行うときに、前記基地局が同じ送信ビームを利用して送信するＣＳＩ−ＲＳ、データ及び／又は制御情報を、異なる走査受信ビームをそれぞれ利用して受信するように前記ユーザー装置を制御するように配置される、請求項２１に記載の装置。
【請求項２５】
前記装置は前記ユーザー装置としても動作し、前記装置はさらに、
外部装置との通信を実行するように配置される通信ユニットをさらに含む、請求項２１から２４のいずれか１項に記載の装置。
【請求項２６】
無線通信システムにおける方法であって、前記方法は、
チャネル状態情報−参照信号ＣＳＩ−ＲＳマッピング構造に基づいて、Ｐ２プロセス及び／又はＰ３プロセスにおけるアイドルリソース要素を確定し、前記Ｐ２プロセスにおいて送信ビーム走査のみが行われ、前記Ｐ３プロセスにおいて受信ビーム走査のみが行われ、前記アイドルリソース要素とは、ＣＳＩ−ＲＳによって占有されるＯＦＤＭシンボル内のＣＳＩ−ＲＳによって占有されていないリソース要素であり、
前記Ｐ２プロセス及び／又はＰ３プロセスを行うときに、前記アイドルリソース要素を利用してデータ及び／又は制御情報をユーザー装置に送信するように基地局を制御することを含む、方法。
【請求項２７】
無線通信システムにおける方法であって、前記方法は、
基地局によって通知されるチャネル状態情報−参照信号ＣＳＩ−ＲＳマッピング構造に基づき、前記基地局がＰ２プロセス及び／又はＰ３プロセスを行うときにアイドルリソース要素を利用して送信するデータ及び／又は制御情報を受信するようにユーザー装置を制御することを含み、
前記Ｐ２プロセスにおいて送信ビーム走査のみが行われ、前記Ｐ３プロセスにおいて受信ビーム走査のみが行われ、前記アイドルリソース要素とは、前記ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素である、方法。
【発明の詳細な説明】
【技術分野】
【０００１】
本出願は、２０１７年０６月０９日に中国特許庁に提出された、出願番号が２０１７１０４３３７１３．０であって、発明の名称が「無線通信システムにおける装置及び方法」である中国特許出願の優先権を主張するものであり、その全内容を本出願に参照により援用する。
【０００２】
本開示は、一般に無線通信技術の分野に関し、より具体的に、ビーム走査プロセスにおけるアイドル時間・周波数リソースの利用率を向上させることができる無線通信システムにおける装置及び方法に関する。
【背景技術】
【０００３】
現在提案されている２つの主流のチャネル状態情報−参照信号（ＣＳＩ−ＲＳ）マッピング構造はそれぞれ、ビーム走査機能及びＣＳＩフィードバック機能に適用可能である。
【発明の概要】
【発明が解決しようとする課題】
【０００４】
新しい無線多入力多出力（ＮＲ  ＭＩＭＯ）システムにおけるアンテナポートの数が増加し続けるにつれて、ビーム走査に関与する送信ビームと受信ビームの数もまた増加している。そのため、高負荷、高速移動のシナリオでは、ビーム走査は大量のシステムリソースを消費する可能性がある。ビーム走査機能に使用される従来のＣＳＩ−ＲＳマッピング構造では、利用されていないアイドルリソース要素(ＲＥ)がある。ビーム走査に関与する送信ビーム及び受信ビームの数が増加するにつれて、アイドルＲＥがますます多くなり、その結果、リソースの大きな無駄が生じる。
【課題を解決するための手段】
【０００５】
本開示に関するいくつかの態様の基本的な理解を提供するように、本発明に関する簡単な概説を以下に示す。しかしながら、この概説が本開示に関する網羅的な概説ではないと理解すべきである。それは、本開示の肝心又は重要部分を確定することを意図するものではなく、本開示の範囲を限定することを意図するものでもない。その目的は、後述するより詳細な説明の前置きとして、本開示に関するいくつかの概念を簡略化された形で提示することである。
【０００６】
これに鑑みて、本開示の少なくとも１つの態様の目的は、ビーム走査プロセスにおけるアイドルＲＥの利用率を向上させることができる無線通信システムにおける装置及び方法を提供することである。
【０００７】
本開示の他の態様によれば、無線通信システムにおける装置を提供し、当該装置は処理回路を含み、当該処理回路は、チャネル状態情報−参照信号ＣＳＩ−ＲＳマッピング構造に基づいて、Ｐ２プロセス及び／又はＰ３プロセスにおけるアイドルリソース要素を確定し、Ｐ２プロセスにおいて送信ビーム走査のみが行われ、Ｐ３プロセスにおいて受信ビーム走査のみが行われ、また、アイドルリソース要素とは、ＣＳＩ−ＲＳによって占有されるＯＦＤＭシンボル内のＣＳＩ−ＲＳによって占有されていないリソース要素であり、Ｐ２プロセス及び／又はＰ３プロセスを行うときに、アイドルリソース要素を利用してデータ及び／又は制御情報をユーザー装置に送信するように基地局を制御するように配置される。
【０００８】
本開示の他の態様によれば、無線通信システムにおける装置をさらに提供し、当該装置は処理回路を含み、当該処理回路は、基地局によって通知されるチャネル状態情報−参照信号ＣＳＩ−ＲＳマッピング構造に基づき、基地局がＰ２プロセス及び／又はＰ３プロセスを行うときにアイドルリソース要素を利用して送信するデータ及び／又は制御情報を受信するようにユーザー装置を制御し、Ｐ２プロセスにおいて送信ビーム走査のみが行われ、Ｐ３プロセスにおいて受信ビーム走査のみが行われ、また、アイドルリソース要素とは、ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素であるように配置される。
【０００９】
本開示の他の態様によれば、無線通信システムにおける方法をさらに提供し、当該方法は、チャネル状態情報−参照信号ＣＳＩ−ＲＳマッピング構造に基づいて、Ｐ２プロセス及び／又はＰ３プロセスにおけるアイドルリソース要素を確定し、Ｐ２プロセスにおいて送信ビーム走査のみが行われ、Ｐ３プロセスにおいて受信ビーム走査のみが行われ、また、アイドルリソース要素とは、ＣＳＩ−ＲＳによって占有されるＯＦＤＭシンボル内のＣＳＩ−ＲＳによって占有されていないリソース要素であり、Ｐ２プロセス及び／又はＰ３プロセスを行うときに、アイドルリソース要素を利用してデータ及び／又は制御情報をユーザー装置に送信するように基地局を制御することを含む。
【００１０】
本開示の他の態様によれば、無線通信システムにおける方法をさらに含み、当該方法は、基地局によって通知されるチャネル状態情報−参照信号ＣＳＩ−ＲＳマッピング構造に基づき、基地局がＰ２プロセス及び／又はＰ３プロセスを行うときにアイドルリソース要素を利用して送信するデータ及び／又は制御情報を受信するようにユーザー装置を制御することを含み、Ｐ２プロセスにおいて送信ビーム走査のみが行われ、Ｐ３プロセスにおいて受信ビーム走査のみが行われ、また、アイドルリソース要素とは、ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素である。
【００１１】
本開示の他の態様によれば、上記の本開示による方法を実現するためのコンピュータプログラムコード及びコンピュータプログラム製品、ならびに当該上記の本開示による方法を実現するためのコンピュータプログラムコードが記録されたコンピュータ可読記憶媒体をさらに提供する。
【００１２】
本開示の実施例によれば、ビーム走査プロセスにおけるアイドル時間・周波数リソースを利用してデータ及び／又は制御情報を伝送することによって、時間・周波数リソースの利用率を従来技術と比較して大幅に向上させることができる。
【００１３】
本開示の実施例の他の態様は、以下の明細書に記載されており、本開示の実施例を十分に開示するための好ましい実施形態について詳細に説明するが、これに限定されない。
【図面の簡単な説明】
【００１４】
本開示は、添付の図面とともに以下の詳細な説明を参照することによって、よりよく理解されることができ、同じ又は類似の構成要素について、図面全体にわたって同じ又は類似の参照符号が使用されている。前記図面は以下の詳細な説明とともに、本明細書に含まれて本明細書の一部を形成し、本発明の好ましい実施例と本開示の原理及び利点をさらに説明するために使用される。図面では、
【００１５】
【図１】２つの典型的なＣＳＩ−ＲＳマッピング構造の一例を示す概略図である。
【図２】本開示の実施例による無線通信システムにおける装置の機能構成例を示すブロック図である。
【図３】本開示の実施例による無線通信システムにおける装置の他の機能構成例を示すブロック図である。
【図４】本開示の実施例による混合配置のＣＳＩ−ＲＳマッピング構造の一例を示す概略図である。
【図５】本開示の実施例によるＰ１プロセス、Ｐ２プロセス及びＰ３プロセスのそれぞれに使用される混合ＣＳＩ−ＲＳマッピング構造の一例を示す概略図である。
【図６】本開示の実施例によるＰ２プロセス及びＰ３プロセスにおいてアイドルリソース要素を使用してデータ及び／又は制御情報を送信する一例を示す概略図である。
【図７】本開示の実施例による無線通信システムにおける装置のさらに他の機能構成例を示すブロック図である。
【図８】本開示の実施例による通信シナリオ例を示す概略図である。
【図９】本開示の実施例による無線通信システムにおける装置の機能構成例を示すブロック図である。
【図１０Ａ】図１０Ａから図１０Ｃは、本開示による技術を実現するためのシグナリングインタラクティブプロセスを示すフローチャートである。
【図１０Ｂ】図１０Ａから図１０Ｃは、本開示による技術を実現するためのシグナリングインタラクティブプロセスを示すフローチャートである。
【図１０Ｃ】図１０Ａから図１０Ｃは、本開示による技術を実現するためのシグナリングインタラクティブプロセスを示すフローチャートである。
【図１１】本開示の実施例による無線通信システムにおける方法の手順の一例を示すフローチャートである。
【図１２】本開示の実施例による無線通信システムにおける方法の手順の一例を示すフローチャートである。
【図１３】本開示の実施例において採用可能な情報処理装置であるパーソナルコンピュータの構成例を示すブロック図である。
【図１４】本開示の技術を適用できる進化型ノード(ｅＮＢ)の概略構成の第１の例を示すブロック図である。
【図１５】本開示の技術を適用できるｅＮＢの概略構成の第２の例を示すブロック図である。
【図１６】本開示の技術を適用できるスマートフォンの概略構成の一例を示すブロック図である。
【図１７】本開示の技術を適用できるカーナビゲーション装置の概略構成の一例を示すブロック図である。
【発明を実施するための形態】
【００１６】
以下、本開示の例示的な実施例について添付の図面を参照して説明する。明確化と簡潔さのために、実際の実施形態の全ての特徴が明細書に記述されているわけではない。しかしながら、こういう実際の実施例の開発において、開発者の具体的な目標を達成し、例えば、システムや業務に関連する制約条件を満たすために多くの実施形態特有の決定が行われなければならなく、これらの制約条件は実施形態に応じて変更される可能性があることと理解すべきである。加えて、開発作業は非常に複雑で時間がかかる可能性があるが、そのような開発作業は本開示の利益を有する当業者にとって日常的なタスクのみであることも理解されるべきである。
【００１７】
ここで、不必要な詳細によって本開示を不明瞭にすることを避けるために、本開示による方案に密接に関連する装置構造及び／又は処理ステップのみが図面に示され、本開示とはほとんど関係のない他の詳細は省略されることにも注意されたい。
【００１８】
以下、本開示の好ましい実施例について、図１から図１７を参照して詳細に説明する。
【００１９】
本開示による技術を具体的に説明する前に、２つの典型的なＣＳＩ−ＲＳマッピング構造を図１を参照して簡単に説明する。図１は２つの典型的なＣＳＩ−ＲＳマッピング構造の一例を示す概略図である。
【００２０】
図１に示すＣＳＩ−ＲＳマッピング構造の例では、水平方向は時間方向を表し、垂直方向は周波数方向を表し、各グリッドは１つのリソース要素ＲＥを表すことで、１つの列は１つのＯＦＤＭシンボルに対応し、且つ、１つの行は１つのサブキャリアに対応する。図１に示す例では、４つのリソースブロック(ＲＢ)が示され、各リソースブロックは７つのＯＦＤＭシンボル*１２つのサブキャリアを含む。ここ及びその後の図面に示す１つのリソースブロックに含まれるＯＦＤＭシンボル及びサブキャリアの数は単なる例であり、限定ではないことに注意されたい。本開示の技術は、任意の数のＯＦＤＭシンボル及びサブキャリアを含む場合に適用できる。
【００２１】
図１の(ａ)に示すＣＳＩ−ＲＳマッピング構造はビーム走査機能に適している。ビーム走査プロセスはＰ１プロセス、Ｐ２プロセス及びＰ３プロセスを含むことができ、Ｐ１プロセスにおいて、送信ビーム及び受信ビームの走査が同時に行われ、Ｐ２プロセスにおいて送信ビームの走査のみが行われ、Ｐ３プロセスにおいて受信ビームの走査のみが行われる。より具体的には、Ｐ１プロセスにおいて、受信端(例えば、ユーザー装置)が異なる送信ビームに対する測定を実行することによって、送信端(例えば、基地局)の送信ビーム選択及び受信端の受信ビーム選択をサポートし、Ｐ２プロセスにおいて、受信端(例えば、ユーザー装置)が異なる送信ビームに対する測定を実行することによって、送信端(例えば、基地局)の送信ビーム選択をサポートし、Ｐ３プロセスにおいて、受信端(例えば、ユーザー装置)が同じ送信ビームに対する測定を実行することによって、ビームフォーミングが使用される場合での受信端の受信ビーム選択をサポートする。
【００２２】
具体的に、図１の(ａ)に示す例では、ビーム走査機能に使用されるＣＳＩ−ＲＳは、４つのＯＦＤＭシンボル(即ち、数字０、１、２、３によって表記されるリソース要素がある列のＯＦＤＭシンボル、ここで、数字はそれぞれ、ＣＳＩ−ＲＳを送信するためのアンテナポートを表す)を占有し、ＣＳＩ−ＲＳによって占有されるＲＥの間に挟まれたアイドルＲＥ(即ち、数字で表記されていないＲＥ)によってサブサンプリングファクタ(ＳＦ)を形成し、この例では、ＳＦ＝４である。
【００２３】
図１の(ｂ)に示すＣＳＩ−ＲＳマッピング構造は、ＣＳＩフィードバック機能に適している。当該マッピング構造では、ＳＦ＝１である。ＣＳＩ−ＲＳは高い配置密度を有することで、より精確なＣＳＩフィードバック結果を得ることができるので、当該マッピング構造は、ＣＳＩフィードバック機能により適している。
【００２４】
図２は本開示の実施例による無線通信システムにおける装置の機能構成例を示すブロック図である。
【００２５】
図２に示すように、当該実施例による装置２００は、アイドルリソース要素確定ユニット２０２と、制御ユニット２０４とを含むことができる。
【００２６】
アイドルリソース要素(ＲＥ)確定ユニット２０２は、ＣＳＩ−ＲＳマッピング構造に基づいて、Ｐ２プロセス及び／又はＰ３プロセスにおけるアイドルリソース要素を確定するように配置されることができる。その中、アイドルリソース要素とは、ＣＳＩ−ＲＳによって占有されるＯＦＤＭシンボル内のＣＳＩ−ＲＳによって占有されていないリソース要素である。
【００２７】
具体的に、図１の(ａ)に示すＣＳＩ−ＲＳマッピング構造を参照すると、Ｐ１プロセスを行うために、ＳＦを利用してインターリーブ周波数分割多元接続(ＩＦＤＭＡ)モデルを構築することができ、即ち、ＣＳＩ−ＲＳを周波数領域で等間隔に同じＯＦＤＭシンボルにおけるアイドルサブキャリアに割り当てる。例えば、ＳＦ＝４である場合、ＩＦＤＭＡモデルに従って、１つのＣＳＩ−ＲＳが同じＯＦＤＭシンボル内のアイドルＲＥで３回繰り返して送信される。このように、この例では、１つのＣＳＩ−ＲＳが周波数領域で４回繰り返し送信されるので、ユーザーが単一のＯＦＤＭシンボル内でそれ自体の候補受信ビームを４回走査する機会を達成することができ、候補送信ビームの走査を時間領域で行うことができる。
【００２８】
一方、Ｐ２プロセス又はＰ３プロセスを行うときに、送信ビーム又は受信ビームの走査は時間領域のみでも実現することができるので、ＩＦＤＭＡモデルを構築する必要はないことで、ＣＳＩ−ＲＳによって占有されるＲＥの間に挟まれたアイドルＲＥ(図１の(ａ)に示すように、数字で表記されるグリッドの間に挟まれたグリッドに対応するＲＥ)は利用されていない。
【００２９】
Ｐ１プロセスにおけるＣＳＩ−ＲＳによって占有されるＲＥの間に挟まれたアイドルＲＥは、周波数領域の受信ビーム走査を実現するために空けられなければならないので、本開示の実施例による技術では、Ｐ２プロセス及び／又はＰ３プロセスにおけるアイドルＲＥを利用してデータ及び／又は制御情報を伝送して、アイドルＲＥの利用率を向上させることのみが考えられる。
【００３０】
なお、図１に示すビーム走査機能に使用されるＣＳＩ−ＲＳによって占有されるＲＥの間に挟まれたアイドルＲＥ以外のアイドルＲＥ(例えば、図１の(ａ)及び(ｂ)に示す最後の２列におけるＯＦＤＭシンボル内のアイドルＲＥ)について、従来の技術においてこのようなアイドルＲＥ自体がデータ及び／又は制御情報を伝送するために使用されるので、ここでは検討しない。本開示において利用されるアイドルリソース要素とは、ビーム走査機能に使用されるＣＳＩ−ＲＳによって占有されるＲＥの間に挟まれたアイドルＲＥである。
【００３１】
制御ユニット２０４は、Ｐ２プロセス及び／又はＰ３プロセスが行われるときに、ＣＳＩ−ＲＳマッピング構造におけるアイドルリソース要素を利用してデータ及び／又は制御情報をユーザー装置に送信するように基地局を制御するように配置されることができ、また、ユーザー装置は基地局によって通知されるＣＳＩ−ＲＳマッピング構造に基づき、対応するアイドルリソース要素で送信されるデータ及び／又は制御情報を受信することができる。これにより、Ｐ２プロセス及びＰ３プロセスにおけるアイドルＲＥの利用率を向上させることができる。
【００３２】
図３は本開示の実施例による無線通信システムにおける装置の他の機能構成例を示すブロック図である。
【００３３】
図３に示すように、当該実施例による装置３００は配置ユニット３０２、アイドルリソース要素確定ユニット３０４、及び制御ユニット３０６を含むことができる。その中、アイドルリソース要素確定ユニット３０４と制御ユニット３０６の機能構成例は、図２を参照して上述した対応するユニットの機能構成例と実質的に同じであり、ここで再度説明しない。以下、配置ユニット３０２の機能構成例のみについて詳細に説明する。
【００３４】
配置ユニット３０２は、各ユーザー装置に対して、少なくとも走査されるべき送信ビーム及び／又は受信ビームの数とサブサンプリングファクタに基づき、ＣＳＩ−ＲＳマッピング構造を配置し、ＣＳＩ−ＲＳマッピング構造をユーザー装置に通知するように配置されることができる。
【００３５】
具体的に、図１を参照して上述したように、ユーザー装置に対してＰ１プロセスを行う場合、ＣＳＩ−ＲＳによって占有されるシンボルの数を走査されるべき送信ビームの数と等しくし、サブサンプリングファクタを走査されるべき受信ビームの数と等しくすることによって、ＣＳＩ−ＲＳマッピング構造を配置することができる。一方、ユーザー装置に対してＰ２プロセス又はＰ３プロセスを行う場合、ＣＳＩ−ＲＳによって占有されるＯＦＤＭシンボルの数を走査されるべき送信ビーム又は受信ビームの数と等しくすることによって、予め設置されたサブサンプリングファクタに基づき、ＣＳＩ−ＲＳマッピング構造を配置する。配置されたＣＳＩ−ＲＳマッピング構造は、例えば、図１の(ａ)に示す通りであり得る。
【００３６】
従来の技術に基づき、ビーム走査機能及びＣＳＩフィードバック機能に使用されるＣＳＩマッピング構造は通常、図１の(ａ)及び(ｂ)に示すように別々にかつ独立して配置される。しかしながら、より小さいリソース粒度内で両方の機能を同時に実現するようにより柔軟なＣＳＩ−ＲＳリソース配置を実現するために、本開示は混合配置可能なＣＳＩ−ＲＳマッピング構造を提案する。好ましい実施形態を以下に詳細に説明する。
【００３７】
好ましくは、配置ユニット３０２はさらに、各ユーザー装置に対して、１つのリソースブロックに含まれるＯＦＤＭシンボルがそれぞれ、ビーム走査に使用されるＣＳＩ−ＲＳ及びチャネル状態情報ＣＳＩフィードバックに使用されるＣＳＩ−ＲＳによって占有されるようにＣＳＩ−ＲＳマッピング構造を配置するように配置されることができる。
【００３８】
具体的に、配置ユニット３０２はさらに、各ユーザー装置に対して、走査されるべき送信ビーム及び／又は受信ビームの数に基づき、１つのリソースブロックのうちビーム走査に使用されるＣＳＩ−ＲＳによって占有されるＯＦＤＭシンボルを確定し、ビーム走査に使用されるＣＳＩ−ＲＳによって占有されるＯＦＤＭシンボルに基づき、１つのリソースブロックのうちＣＳＩフィードバックに使用されるＣＳＩ−ＲＳによって占有されるＯＦＤＭシンボルを確定し、これにより、ＣＳＩ−ＲＳマッピング構造を配置するように配置されることができる。
【００３９】
走査されるべき送信／受信ビームの数が非常に多く、１つのリソースブロックにはＣＳＩフィードバック機能に使用されるＣＳＩ−ＲＳを配置可能な冗長なＯＦＤＭシンボルがない場合、配置されたＣＳＩ−ＲＳマッピング構造が、図１の(ａ)に示すように、ビーム走査機能に使用されるＣＳＩ−ＲＳのみが含まれてもよいことは理解される。つまり、当該混合構造は、実際の状況に応じて柔軟に配置されることができる。
【００４０】
また、好ましくは、配置ユニット３０２はさらに、各ユーザー装置に対して、１つのリソースブロックのうちビーム走査に使用されるＣＳＩ−ＲＳによって占有されるＯＦＤＭシンボルがＣＳＩフィードバックに使用されるＣＳＩ−ＲＳによって占有されるＯＦＤＭシンボルの前に配置されるようにＣＳＩ−ＲＳマッピング構造を配置するように配置されることができる。これは、通常、最初にＣＳＩ−ＲＳを利用してビーム走査機能を行って最適な送信／受信ビーム対を確定し、その後、確定された最適な送信／受信ビーム対を利用してＣＳＩ−ＲＳを送信してチャネル状態フィードバックを行う必要があるからであり、従って、好ましくは、ビーム走査機能に使用されるＣＳＩ−ＲＳがＣＳＩフィードバック機能に使用されるＣＳＩ−ＲＳの前にある、即ち、ビーム走査機能に使用されるＣＳＩ−ＲＳによって占有されるＯＦＤＭシンボルが時間的にビーム走査機能に使用されるＣＳＩ−ＲＳによって占有されるＯＦＤＭシンボルに先行する。
【００４１】
図４は、１つのリソースブロックＲＢにおける混合ＣＳＩ−ＲＳマッピング構造の一例を示した。図４は、本開示の実施例による混合配置のＣＳＩ−ＲＳマッピング構造の一例を示す概略図である。各リソース要素に表記される数字は、当該リソース要素を占有するＣＳＩ−ＲＳに対応するアンテナポートの番号を表す。
【００４２】
１つのリソースブロックでは、最初のＯＦＤＭシンボルは通常、制御チャネルの伝送に使用されるので、ＣＳＩ−ＲＳによって占有されることができるＯＦＤＭシンボルの数は６である。図４に示すように、最初の４つのＯＦＤＭシンボルはビーム走査機能に使用されるＣＳＩ−ＲＳ(それぞれアンテナポート０、１、２、３に対応する)によって占有され、このとき走査されるべき送信ビーム／受信ビームの数が４であることを示し、そして、残りの最後の２つのＯＦＤＭシンボルはＣＳＩフィードバック機能に使用されるＣＳＩ−ＲＳ(それぞれアンテナポート４、５、６、７に対応する)によって占有されることができる。この例では、２つの機能に使用されるＳＦはそれぞれＳＦ＝３及びＳＦ＝１であるので、当該ＣＳＩ−ＲＳマッピング構造は４*３のビーム走査を実現することができ、ＣＳＩフィードバック機能を同時に実現することができる。
【００４３】
なお、図４の例では、ＣＳＩ−ＲＳによって占有されるＯＦＤＭシンボルが連続的であることが示されたが、実際の状況に応じて、占有されるＯＦＤＭシンボルが不連続であるように配置されてもよく、本開示はそれを特に限定しない。また、図４に示す例では、各ＣＳＩ−ＲＳによって占有されるリソース要素は異なるアンテナポートに対応することが示されたが、実際の状況に応じて、各ＣＳＩ−ＲＳによって占有されるリソース要素が同じアンテナポートに対応するように配置されてもよく、本開示はそれを特に限定しない。以降の図面及びその説明についても同様である。
【００４４】
これにより分かるように、本開示の実施例によれば、１つのリソースブロックにビーム走査機能に使用されるＣＳＩ−ＲＳ及びＣＳＩフィードバック機能に使用されるＣＳＩ−ＲＳを混合して配置することで、より小さいリソース粒度で柔軟にリソース設定とスケジューリングを行うことができ、リソース利用率をさらに向上させることができる。
【００４５】
好ましくは、確定されたＣＳＩ−ＲＳマッピング構造のユーザー装置への通知を容易にするために、配置ユニット３０２はさらに、確定されたＣＳＩ−ＲＳマッピング構造をビットマップの形式で表すように配置されることができる。具体的に、１つのリソースブロックにおける各サブキャリアが１つのビットシーケンスに対応するように当該ビットマップを生成することができ、その中、各サブキャリアにおけるＣＳＩ−ＲＳによって占有されるリソース要素は１として表され、ＣＳＩ−ＲＳによって占有されていないリソース要素は０として表される。なお、上述したように、通常、１つのリソースブロックにおける最初のＯＦＤＭシンボル内の的リソース要素は、制御チャネルの伝送に使用されるので、本開示の技術において、当該ＯＦＤＭシンボル内のリソース要素に対応するビットの通知は考慮されず具体的な通知方法は従来の技術における既存の方法を採用することができる。本開示の実施例の説明の便宜のために、ここで、最初のＯＦＤＭシンボル内のリソース要素が「０」として表されると仮定して説明する。また、ここで説明した制御チャネルが最初のＯＦＤＭシンボルを占有する場合は、単なる例であり、限定ではなく、例えば、１つのサブフレーム(例えば、２つのリソースブロックを含む)では、各リソースブロックの最初の４つのＯＦＤＭシンボルがいずれも制御チャネルに使用されることができる。例えば、図４に示す例では、丸で囲まれた２つのサブキャリアに対応するビットシーケンスはそれぞれ、「０００００１１」と「０１１１１１１」として表されることができる。
【００４６】
ユーザー装置が１つのリソースブロックにおける完全なＣＳＩ−ＲＳマッピング構造を精確に知ることを可能にするために、リソースブロック全体に対応するビットマップ(１２*７＝８４ビットを含む)をユーザー装置に通知することでＣＳＩ−ＲＳマッピング構造を通知することができるが、このようにして、大きなシグナリングオーバーヘッドを引き起こすことになる。
【００４７】
従って、好ましくは、シグナリングオーバーヘッドを減らすために、いくつかのサブキャリアに対応するビットシーケンス及び他の補助情報(例えば、ＳＦの大きさ)を選択的に送信することでＣＳＩ−ＲＳマッピング構造をユーザー装置に通知することができる。
【００４８】
例えば、当該ＣＳＩ−ＲＳマッピング構造が図１に示す非混合構造である場合、１つのサブキャリアに対応するビットシーケンス(例えば、７ビット、当該サブキャリアはＣＳＩ−ＲＳによって占有されるリソース要素を含む必要がある)及びこのときのサブサンプリングファクタを指示するビットシーケンス(例えば、４ビット)を少なくとも送信するように基地局を制御することによって、ＣＳＩ−ＲＳによって占有されるＯＦＤＭシンボルをユーザー装置に通知することで、配置されたＣＳＩ−ＲＳマッピング構造を通知する。
【００４９】
一方、当該ＣＳＩ−ＲＳマッピング構造が図４に示す混合構造である場合、２つのサブキャリアに対応するビットシーケンス(例えば、１４ビット)、２つの機能のサブサンプリングファクタを指示するビットシーケンス(例えば、(４＋４)ビット)、及びビーム走査に使用されるＣＳＩ−ＲＳによって占有されるＯＦＤＭシンボルの数を指示するビットシーケンス(例えば、３ビット)を少なくとも送信するように基地局を制御することによって、ＣＳＩ−ＲＳマッピング構造をユーザー装置に通知する。
【００５０】
選択された２つのビットシーケンスが２つの機能のＣＳＩ−ＲＳによって占有されるＯＦＤＭシンボルの分布を反映することができるように送信される２つのサブキャリアのビットシーケンスを選択することができることが理解される。例えば、図４に示す例では、配置ユニット３０２は、丸で囲まれた２つのサブキャリアに対応するビットシーケンス「０００００１１」及び「０１１１１１１」を送信することを選択することができ、さらに送信された２つの機能に使用されるサブサンプリングファクタと組み合わせて、ユーザー装置は、このときのＣＳＩ−ＲＳマッピング構造における２〜５番目のＯＦＤＭシンボルがビーム走査機能に対応し、６番目及び７番目のＯＦＤＭシンボルがＣＳＩフィードバック機能に対応することを知ることができる。逆に、１番目及び２番目のサブキャリアに対応するビットシーケンス「０００００１１」及び「０００００１１」が送信のために選択される場合、ユーザー装置は、２つの機能に使用されるＣＳＩ−ＲＳによって占有されるＯＦＤＭシンボルの分布を正確に知ることができないので、より多くのビットシーケンスを送信する必要がある。
【００５１】
送信される２つのサブキャリアのビットシーケンスは実際の状況に従って選択されてもよく、本開示はこれを特に限定しない。２つの機能に使用されるＣＳＩ−ＲＳによって占有されるＯＦＤＭシンボルの分布は、ユーザ装置によって正確に確定され得ることで十分である。
【００５２】
ＣＳＩ−ＲＳマッピング構造は、物理層のダウンリンク制御情報(ＤＣＩ)、ＭＡＣ層のシグナリング、上位層の無線リソース制御(ＲＲＣ)シグナリング、又はそれらの組み合わせによって通知されることができ、当業者は、実際の状況に従って、具体的な通知シグナリングを設計及び選択することができ、本開示はこれを特に限定しない。例えば、リアルタイム要件が高く、ＣＳＩ−ＲＳマッピング構造が頻繁に変わる場合、より高いリアルタイム性能を有するＤＣＩを使用して通知することを考慮することができ、ＣＳＩ−ＲＳマッピング構造が比較的固定されている場合、物理層シグナリングリソースを節約するために、比較的長い通知期間を有するＲＲＣシグナリングを使用して通知することを考慮することができる。
【００５３】
図５は、本開示の実施例によるＰ１プロセス、Ｐ２プロセス及びＰ３プロセスに適用される混合ＣＳＩ−ＲＳマッピング構造を示す。なお、図５では、説明と区別を容易にするために、１つのアンテナポートが１つの送信ビームに対応するように図示されているが、これは単なる例のみであって、限定ではなく、全ての送信ビームが同じアンテナポートに対応するように配置することができ、これは、以降の図及びその説明についても同様である。
【００５４】
図５の(ａ)に示すＣＳＩ−ＲＳマッピング構造はＰ１プロセスに適している。この例では、２〜５番目のＯＦＤＭシンボルがビーム走査機能に対応し、６番目及び７番目のＯＦＤＭシンボルがＣＳＩフィードバック機能に対応し、また、２つの機能に対応するサブサンプリングファクタはそれぞれＳＦ＝４及びＳＦ＝１である。当該マッピング構造では、上述したように、ビーム走査に使用されるＣＳＩ−ＲＳによって占有されるリソース要素(即ち、数字０、１、２、３で表記されるリソース要素)の間に挟まれたアイドルリソース要素(即ち、１つのＲＢにおける第１〜３番目のサブキャリア、５〜７番目のサブキャリア及び９〜１１番目のサブキャリアにおけるアイドルＲＥ)は、ＩＦＤＭＡモードを構築するために空けられなければならず、それによって、送信ビーム走査及び受信ビーム走査を同時に実現する。図５の(ａ)に示す例では、１つのＯＦＤＭシンボルが１つの候補送信ビームに対応するようにＣＳＩ−ＲＳを送信し、周波数領域で４回繰り返し送信されるように配置されることができ、４(送信ビーム)*４(受信ビーム)のビーム走査プロセスを実現することができる。
【００５５】
図５の(ｂ)及び(ｃ)に示すＣＳＩ−ＲＳマッピング構造はそれぞれ、Ｐ２プロセス及びＰ３プロセスに適用可能であり、用于Ｐ１プロセスに使用される図５の(ａ)に示すＣＳＩ−ＲＳマッピング構造と同様であり、相違点は、Ｐ２プロセスにおいて送信ビーム走査のみが行われＰ３プロセスにおいて受信ビーム走査のみが行われるので、図５の(ａ)で空けられなければならないリソース要素(即ち、１つのＲＢにおける１〜３番目のサブキャリア、５〜７番目のサブキャリア及び９〜１１番目のサブキャリアにおけるＲＥ)は、ＩＦＤＭＡモードを構築するために空けられる必要はないことである。従って、こらのアイドルリソース要素は、送信データ及び／又は制御情報に使用されることができる。これらのアイドルリソース要素を利用してデータ及び／又は制御情報を送信する方法について、図６を参照して以下で詳細に説明する。
【００５６】
図５の(ｂ)に示す例では、４つの候補送信ビームの走査を実現するために、１つのＯＦＤＭシンボルが１つの候補送信ビームに対応するようにＣＳＩ−ＲＳを送信するするように配置されることができ、また、ユーザー装置が、４つの候補送信ビームをそれぞれ利用して送信するＣＳＩ−ＲＳを、同じ受信ビームを使用して受信する。図５の(ｃ)に示す例では、これらの４つのＯＦＤＭシンボルが同じ送信ビームに対応するようにＣＳＩ−ＲＳを送信するように配置されることができ、それによって、４つの候補受信ビームの走査を実現するために、ユーザー装置は、４つの異なる候補受信ビームを順番に使用して同じ送信ビームからのＣＳＩ−ＲＳを受信することができる。
【００５７】
図５の(ｂ)に示す例では、Ｐ２プロセスにおいてＣＳＩ−ＲＳによって占有されるリソース要素が異なるアンテナポート０、１、２、３で表記されるが、図５の(ｃ)に示す例では、Ｐ３プロセスにおいてＣＳＩ−ＲＳによって占有されるリソース要素が同じアンテナポート０で表記され、これは、Ｐ２プロセスにおいて、送信ビーム走査を実現するために、ＣＳＩ−ＲＳを送信するための送信ビームが異なる候補送信ビームであり、Ｐ３プロセスにおいて、受信ビーム走査を実現するために、ＣＳＩ−ＲＳを送信するための送信ビームが同じビームであり、当該送信ビームを利用してＣＳＩ−ＲＳを繰り返して送信することを表すのを容易にするためであることに留意されたい。しかしながら、実際に、ＣＳＩ−ＲＳによって占有されるリソース要素は、Ｐ２プロセスであろうとＰ３プロセスであろうと、同じ又は異なるアンテナポートに対応することができ、本開示は、送信ビーム走査及び受信ビーム走査機能をそれぞれ実現することができる限り、これを特に限定しない。
【００５８】
図３に戻って参照すると、好ましくは、Ｐ２プロセス及びＰ３プロセスにおいてアイドルリソース要素を利用してデータ及び／又は制御情報を送信するときに、制御ユニット３０６は、ＣＳＩ−ＲＳによって占有される１つのＯＦＤＭシンボルのアイドルリソース要素において、当該ＯＦＤＭシンボルを占有するＣＳＩ−ＲＳを送信するための送信ビームと同じ送信ビームでデータ及び／又は制御情報を送信するように基地局を制御するように配置されることができる。
【００５９】
さらに、好ましくは、制御ユニット３０６は、同じサブキャリアにおける全てのアイドルリソース要素を利用して同じデータ及び／又は制御情報を送信するように基地局を制御するように配置されることができる。これは、ビーム走査プロセスが行われるときに、最適な送信−受信ビーム対が確定されていないためであり、従って、アイドルリソース要素を利用してデータ及び／又は制御情報を送信するときに、同じサブキャリアにおける全てのアイドルリソース要素を利用して同じデータ及び／又は制御情報を送信することで、送信ダイバーシティ又はダイバーシティ受信を実現することができる。
【００６０】
Ｐ２プロセス和Ｐ３プロセスにおいてアイドルリソース要素を利用してデータ及び／又は制御情報を送信する方法の一例について、図６を参照して以下でさらに詳細に説明する。図６は本開示の実施例によるＰ２プロセス及びＰ３プロセスにおいてアイドルリソース要素を利用してデータ及び／又は制御情報を送信する一例を示す概略図である。
【００６１】
なお、図６では、混合配置のＣＳＩ−ＲＳマッピング構造を例として、Ｐ２プロセス及びＰ３プロセスにおいてアイドルリソース要素を利用してデータ及び／又は制御情報を送信する方法について説明したが、これは単なる例のみであって限定ではないことは理解されたい。ここで説明されるデータ及び／又は制御情報の送信の方法は、非混合のＣＳＩ−ＲＳマッピング構造(例えば、図１の(ａ)に示すＣＳＩ−ＲＳマッピング構造)にも適用可能である。
【００６２】
図６の(ａ)は、Ｐ２プロセスにおいてアイドルリソース要素を利用してデータ及び／又は制御情報を伝送する一例を示した。
【００６３】
Ｐ２プロセスについて、送信端(例えば、基地局)が異なる送信ビームを利用して送信を行って、送信ビーム走査を実現し、受信端(例えば、ユーザー装置)が同じ受信ビームを利用して受信するため、送信ダイバーシチ技術を使用することによって、送信端が異なる候補送信ビームを利用して同じデータ及び／又は制御情報を送信し、受信端が同じ受信ビームを利用してこれらの同じデータ及び／又は制御情報を受信するようになり、これにより、送信ダイバーシチを実現する。
【００６４】
具体的に、図６の(ａ)に示すように、ビーム走査機能に使用されるＣＳＩ−ＲＳによって占有されるリソース要素に対応するアンテナポートが０、１、２、３であって、それぞれ送信ビームＴＸ０、ＴＸ１、ＴＸ２和ＴＸ３に対応すると仮定すると、数字０、１、２、３で表記されるリソース要素の下の、同じサブキャリアに属するアイドルリソース要素のうち、送信ビームＴＸ０、ＴＸ１、ＴＸ２及びＴＸ３をそれぞれ利用して同じデータ及び／又は制御情報を送信する。即ち、図６の(ａ)では、丸で囲まれた同じサブキャリアにおけるアイドルリソース要素は、同じデータ及び／又は制御情報を搬送するために使用される。異なるサブキャリアにおけるアイドルリソース要素によって搬送されるデータ及び／又は制御情報は同じでも異なってもよく、実際の状況に応じて設置されてもよく、本開示はこれを特に限定しない。
【００６５】
このようにして、受信端は、送信端によって通知されたＣＳＩ−ＲＳマッピング構造に基づき、同じ受信ビームを利用して、対応する時間・周波数リソース(即ち、ＣＳＩ−ＲＳによって占有されるリソース要素の間に挟まれたアイドルリソース要素)で異なる送信ビームＴＸ０、ＴＸ１、ＴＸ２及びＴＸ３からのデータ及び／又は制御情報を受信し、受信した全てのデータ及び／又は制御情報を組み合わせて復調する(即ち、何らかの方法でダイバーシティ受信によって得られた多重化データを組み合わせる)ことで送信端からのデータ及び／又は制御情報を回復する。
【００６６】
図６の(ｂ)は、Ｐ３プロセスにおいてアイドルリソース要素を利用してデータ及び／又は制御情報を送信する例を示した。
【００６７】
Ｐ３プロセスについて、送信端が同じ送信ビームを利用して送信し、受信端が異なる候補受信ビームを利用して受信するため、ダイバーシティ受信技術を使用することによって、送信端が同じ送信ビームを利用して４回の同じデータ及び／又は制御情報を繰り返して送信し、受信端が、繰り返して送信されたデータ及び／又は制御情報を、異なる候補受信ビームをそれぞれ利用して受信し、その後、組み合わせ技術によって受信したデータ及び／又は制御情報を組み合わせることで、最初送信されたデータ及び／又は制御情報を回復しつつ、ダイバーシチ利得が得られる。
【００６８】
具体的に、図６の(ｂ)に示す例では、アイドルリソース要素を利用してデータ及び／又は制御情報を送信する原理は、図６の(ａ)に示す例における原理と実質的に同じであり、相違点は、送信端が同じ送信ビームＴＸ０を利用して(アンテナポート０に対応する)同じデータ及び／又は制御情報を繰り返して送信することで、受信端が通知されたＣＳＩ−ＲＳマッピング構造に基づき、候補受信ビーム(この例では、ＲＸ０、ＲＸ１、ＲＸ２及びＲＸ３と仮定される)をそれぞれ利用して、対応する時間・周波数リソース(即ち、アイドルリソース要素)で送信ビームＴＸ０からのデータ及び／又は制御情報を受信し、送信端からのデータ及び／又は制御情報を回復するために、受信した全てのデータを何らかの方法で組み合わせて復調する、ことのみである。
【００６９】
好ましくは、基地局がＰ２プロセス及び／又はＰ３プロセスを行うことをトリガーするユーザー装置の数に基づき、アイドルＲＥの利用をオンにするかどうかを確定することができる。具体的に、そのときに、基地局がＰ２プロセス及び／又はＰ３プロセスを行うことをトリガーするユーザー装置の数が少ない場合、アイドルＲＥの無駄が少なくなる可能性があり、アイドルＲＥを利用してデータ及び／又は制御情報を伝送する必要がなくなり、当該プロセスのためのシグナリングオーバーヘッドが低減され、実現の複雑さが低減される。一方、基地局がＰ２プロセス及び／又はＰ３プロセスを行うことをトリガーするユーザー装置の数が多い場合、アイドルＲＥの無駄も大きくなるので、そのときに、リソース利用率を向上させるために、アイドルＲＥの利用をオンにすることが考慮される。以下、この場合での構成例について図７を参照して説明する。
【００７０】
図７は、本開示の実施例による無線通信システムにおける装置のさらに他の機能構成例を示すブロック図である。
【００７１】
図７に示すように、当該実施例による装置７００は、判定ユニット７０２、アイドルリソース要素確定ユニット７０４及び制御ユニット７０６を含むことができる。その中、アイドルリソース要素確定ユニット７０４と制御ユニット７０６の機能構成例は、図２及び図３を参照して上述した対応するユニットの機能構成例と実質的に同じであり、ここで再度説明しない。以下、判定ユニット７０２の機能構成例について詳細に説明する。
【００７２】
判定ユニット７０２は、基地局がＰ２プロセス及び／又はＰ３プロセスを行うことをトリガーするユーザー装置の数に基づき、Ｐ２プロセス及び／又はＰ３プロセスにおけるアイドルリソース要素の利用をオンにするかどうかを確定し、確定結果をユーザー装置に通知するように配置されることができる。
【００７３】
具体的に、判定ユニット７０２はさらに、以下のように配置されることができる。図８の(ａ)に示す通信シナリオの例のように、基地局がＰ２プロセス及び／又はＰ３プロセスを行うことをトリガーするユーザー装置の数が第１の閾値よりも小さい場合、そのときに、ビーム走査によるリソースの無駄が小さいことを示し、走査の複雑さを低下するようにアイドルＲＥの利用をオフにすることができ、その数が第２の閾値よりも高い場合、そのときにビーム走査を行う必要があるユーザー装置の数が大きいと確定され(この通信シナリオの例が図示せず)、ビーム走査の效率を向上させるために、セル範囲全体でのビーム走査プロセスを行うことができ、図８の(ｂ)に示す通信シナリオの例のように、その数が第１の閾値と第２の閾値との間にある場合、そのときにビーム走査によるリソースの無駄が大きいことを示し、アイドルＲＥの利用をオンにすることができ、リソース利用率を向上させる。好ましくは、第１の閾値が第２の閾値よりも小さく、第１の閾値及び第２の閾値の大きさは実際の通信シナリオ、性能要件などに応じて、適切に設置されることができ、本開示はこれを特に限定しない。
【００７４】
制御ユニット７０６は、判定ユニット７０２によってアイドルリソース要素の利用をオンにすることが確定される場合に、Ｐ２プロセス及び／又はＰ３プロセスを行うときにアイドルリソース確定ユニット７０４によって確定されるアイドルリソース要素を利用してデータ及び／又は制御情報をユーザー装置に送信するように配置されることができる。
【００７５】
なお、上述したように、ビーム走査を行う場合に、基地局によって配置されるＣＳＩ−ＲＳマッピング構造は、一般に、各ユーザー装置に対して、基地局と当該ユーザー装置との間の最適な送信−受信ビーム対を確定するようにそれぞれ配置され、つまり、ビーム走査の場合のＣＳＩ−ＲＳマッピング構造は、一般に、ユーザー装置固有(ＵＥ−ｓｐｅｃｉｆｉｃ)であり、基地局は、上記通知方式によって、物理層のシグナリング(例えばＤＣＩ)、ＭＡＣ層のシグナリング、上位層のシグナリング(例えばＲＲＣ)又はそれらの組み合わせを利用して、確定されたＣＳＩ−ＲＳマッピング構造を各ユーザー装置に通知することができる。しかしながら、基地局がＰ２プロセス及び／又はＰ３プロセスを行うことをトリガーするユーザー装置の数が大きすぎるのでセル範囲全体でのビーム走査プロセスを行うことが確定される場合に、当該基地局に対応するセル範囲内の全てのユーザー装置に対してＣＳＩ−ＲＳマッピング構造を配置することができ、即ち、そのときのＣＳＩ−ＲＳマッピング構造はセル固有(ｃｅｌｌ−ｓｐｅｃｉｆｉｃ)であり、基地局は例えば、ブロードキャストやマルチキャストなどにより当該マッピング構造を全てのユーザー装置に通知することができる。
【００７６】
これにより分かるように、本開示の実施例によれば、従来の技術における方案と比べると、Ｐ２プロセス及び／又はＰ３プロセスを行うときにＣＳＩ−ＲＳによって占有されるＲＥの間に挟まれたアイドルＲＥを利用してデータ及び／又は制御情報を送信することによって、リソース利用率を大幅に向上させることができる。
【００７７】
なお、上記無線通信システムにおける装置１００、３００及び７００は、チップレベルで実現されてもよく、又は、他の外部構成要素を含むことによって装置レベルで実現されてもよいことに留意されたい。例えば、上記装置は基地局自体として動作してもよく、外部装置との通信を実行するための通信ユニット(任意選択で破線枠で図示)を含んでもよい。例えば、通信ユニッは、ＣＳＩ−ＲＳマッピング構造、アイドルリソース要素の利用に関する確定結果、ＣＳＩ−ＲＳ、データ及び／又は制御情報をユーザー装置に送信し、及び、ユーザー装置からのフィードバック情報などを受信するなどために使用されることができる。さらに、通信ユニットの具体的な実施形態は、本明細書では限定されず、異なる外部装置との通信を可能にするための１つ又は複数の通信インターフェースを含み得ることに留意されたい。
【００７８】
上記の基地局側の装置に対応して、以下、ユーザー装置側の装置の構成例につて図９を参照して説明する。
【００７９】
図９は、本開示の実施例による無線通信システムにおける装置の機能構成例を示すブロック図である。
【００８０】
図９に示すように、当該実施例による装置９００は取得ユニット９０２と制御ユニット９０４を含むことができる。以下、各機能ユニットの構成例についてそれぞれ詳細に説明する。
【００８１】
取得ユニット９０２は、基地局によって通知されるＣＳＩ−ＲＳマッピング構造を取得するように配置されることができる。具体的に、例えば、取得ユニット９０２は、基地局からの物理層のシグナリング(例えば、ＤＣＩ)、ＭＡＣ層のシグナリング又は上位層のシグナリング(例えば、ＲＲＣシグナリング)、又はそれらの組み合わせに基づき、それらに含まれる当該ユーザー装置に対するＣＳＩ−ＲＳマッピング構造を取得することができる。当該ＣＳＩ−ＲＳマッピング構造は、図１に示す非混合構造であってもよく、又は、図４及び図５に示す混合構造であってもよい。
【００８２】
制御ユニット９０４は、取得したＣＳＩ−ＲＳマッピング構造に基づき、対応する時間・周波数リソースで、基地局がＰ２プロセス及び／又はＰ３プロセスを行うときにアイドルリソース要素を利用して送信するデータ及び／又は制御情報を受信するようにユーザー装置を制御するように配置されることができる。
【００８３】
好ましくは、取得ユニット９０２は、Ｐ２プロセス及び／又はＰ３プロセスにおけるアイドルリソース要素の利用をオンにするかどうかに関する基地局の確定結果を取得するように配置されることができ、これにより、制御ユニット９０４はさらに、当該確定結果に基づき、データ及び／又は制御情報の受信を行うようにユーザー装置を制御することができる。具体的に、取得した確定結果は、基地局がＰ２プロセス及び／又はＰ３プロセスを行うときにアイドルリソース要素を利用してデータ及び／又は制御情報を送信することを表す場合、制御ユニット９０４は、基地局によって通知されるＣＳＩ−ＲＳマッピング構造に基づき、対応する時間・周波数リソースで、基地局がアイドルリソース要素を利用して送信するデータ及び／又は制御情報を受信するようにユーザー装置を制御することができる。
【００８４】
好ましくは、送信ビーム走査を実現するためのＰ２プロセスを行うときに、制御ユニット９０４は、基地局が異なる走査されるべき送信ビームを利用して送信するＣＳＩ−ＲＳ、データ及び／又は制御情報を、同じ受信ビームを利用して受信するようにユーザー装置を制御することができる。その後、ユーザー装置は、基地局が最適な送信ビームを確定するために、同じ受信ビームを利用して受信した、異なる送信ビームからのＣＳＩ−ＲＳに基づき、チャネル測定及びフィードバックを行い、また、同じ受信ビームを利用して受信した、基地局が異なる送信ビームを利用して繰り返して送信する同じデータ及び／又は制御情報を組み合わせて、復調して、基地局からの元データ及び／又は制御情報を回復する。
【００８５】
同様に、受信ビーム走査を実現するためのＰ３プロセスを行うときに、制御ユニット９０４は、異なる走査されるべき受信ビームを利用して、基地局が同じ送信ビームを利用して送信するＣＳＩ−ＲＳ、データ及び／又は制御情報を順次受信するようにユーザー装置を制御することができる。その後、ユーザー装置は、異なる候補受信ビームを利用して受信した、同じ送信ビームからのＣＳＩ−ＲＳに基づき、チャネル測定を行って最適な受信ビームを確定し、また、ダイバーシティ受信を実現するために、異なる候補受信ビームを利用して受信した、基地局が同じ送信ビームを利用して繰り返して送信した同じデータ及び／又は制御情報を組み合わせて復調して、基地局からの元データ及び／又は制御情報を回復する。
【００８６】
なお、装置９００はチップレベルで実現されてもよく、又は、他の外部構成要素を含むことによって装置レベルで実現されてもよいことに留意されたい。例えば、装置９００はユーザー装置自体として動作してもよく、外部装置との通信を実行するための通信ユニット(任意選択で破線枠で図示)を含んでもよい。例えば、通信ユニットは、基地局からのＣＳＩ−ＲＳマッピング構造、アイドルリソース要素の利用に関する確定結果、ＣＳＩ−ＲＳ、データ及び／又は制御情報を受信し、及び関連情報などを基地局にフィードバックするなどために使用されることができる。さらに、通信ユニットの具体的な実施形態は、本明細書では限定されず、異なる外部装置との通信を可能にするための１つ又は複数の通信インターフェースを含み得ることに留意されたい。
【００８７】
ここで説明されるユーザー装置側の装置９００の実施例は、上記の基地局側の装置２００、３００及び７００の実施例に対応するので、当該実施例では詳細に説明されていない内容は以上の対応する位置の説明を参照することができ、ここで再度説明しない。
【００８８】
図２、図３、図７及び図９を参照して上述した様々な機能ユニットは、それらが実現する具体的な機能に従って分割される論理モジューのみであり、具体的な実現方式を限定することを意図しないことに留意されたい。実際的な実現では、上記の様々な機能ユニット及びモジュールは別々の物理的エンティティとして実現されることができるか、又は、単一のエンティティ(例えば、プロセッサー(ＣＰＵ又はＤＳＰなど)、集積回路など)によって実現することができる。
【００８９】
また、以上、本開示の装置実施例について図２、図３、図７及び図９に示すブロック図を参照して説明したが、これは単なる例であり、限定ではないことにも留意されたい。当業者は、本開示の原理に従って、図示の機能構成例を修正することができ、例えば、それらの各機能モジュールに対して追加、削除、修正、組み合わせなどを行うことができ、全てのそのような変形は本開示の範囲内に入ると考えられるべきである。
【００９０】
上記本開示の技術の工作原理をよりよく理解するために、以下、図１０Ａから図１０Ｃに示すフローチャートを参照して本開示のシグナリングインタラクティブプロセスを説明する。
【００９１】
図１０Ａは、本開示による技術を実現するためのシグナリングインタラクティブプロセスの例を示すフローチャートである。
【００９２】
図１０Ａに示すように、まず、ステップＳ１００１では、基地局は、各ユーザー装置に対して、走査されるべき送信ビーム／受信ビームの数及びＳＦに基づき、ＣＳＩ−ＲＳマッピング構造を配置し、ステップＳ１００２では、配置されたＣＳＩ−ＲＳマッピング構造をユーザー装置に通知する。具体的な通知方式は、上記の実施例の説明を参照することができ、ここで再度説明しない。ユーザー装置が当該  ＣＳＩ−ＲＳマッピング構造を正常に受信した場合、ステップＳ１００３では、ＣＳＩ−ＲＳ_ＲＥＳ＝１を基地局にフィードバックすることができ、逆に、受信操作に失敗したことを表すために、ＣＳＩ−ＲＳ_ＲＥＳ＝０をフィードバックすることができる。
【００９３】
その後、ユーザー装置が受信に成功した場合に、ステップＳ１００４では、基地局は、例えば、基地局がＰ２プロセス及び／又はＰ３プロセスを行うことをトリガーするするユーザー装置の数を周期性的に検出することができ、その数が上記第１の閾値と第２の閾値との間にあると確定される場合、ステップＳ１００５では、ＢＳ_ＲＥＳ_Ａｌｌｏｗｅｄをユーザー装置に送信して、Ｐ２プロセス及び／又はＰ３プロセスにおいてアイドルリソース要素の利用をオンにしてデータ及び／又は制御要素を送信することをユーザー装置に通知する。次に、ユーザー装置は、アイドルリソース要素の利用をオンにする通知を受信した後、自体の状況に応じて、当該オン操作を承認すると確定した場合、ステップＳ１００６では、Ｏｐｅｎ_Ｃｌｏｓｅ_ＲＥＳ＝１を基地局にフィードバックする。基地局は、当該肯定フィードバックを受信した後に、アイドルリソース要素を利用してデータ及び／又は制御情報を送信し、そして、ユーザーは、対応する時間・周波数リソースで受信する。逆に、ユーザー装置がＯｐｅｎ_Ｃｌｏｓｅ_ＲＥＳ＝０をフィードバックする場合、ユーザー装置が当該オン操作を拒絶し、基地局が後続のデータ及び／又は制御情報の送信操作を終了することを表す。
【００９４】
図１０Ｂは、本開示による技術を実現するためのシグナリングインタラクティブプロセスの他の例を示すフローチャートである。
【００９５】
図１０Ｂに示すシグナリングインタラクティブプロセスは、図１０Ａに示すシグナリングインタラクティブプロセスと実質的に同じであり、相違点は、ステップＳ１００４’では、基地局がＰ２プロセス及び／又はＰ３プロセスを行うことをトリガーする数が第２の閾値よりも大きいことを基地局によって確定し、ステップＳ１００５’では、セル全体でのビーム走査プロセスを行うことをセル内の全てのユーザー装置にブロードキャストし、ステップＳ１００６’では、セルに固有のＣＳＩ−ＲＳマッピング構造をセル内の全てのユーザー装置にブロードキャストすることのみである。
【００９６】
図１０Ｃは、本開示による技術を実現するためのシグナリングインタラクティブプロセスの別の例を示すフローチャートである。
【００９７】
図１０Ｃに示すシグナリングインタラクティブプロセスは、図１０Ａに示すシグナリングインタラクティブプロセスと実質的に同じであり、相違点は次のようになり、ステップＳ１００４”では、基地局がＰ２プロセス及び／又はＰ３プロセスを行う数が第１の閾値よりも小さいことを基地局によって確定し、ステップＳ１００５”では、アイドルリソース要素の利用をオフにすることをユーザー装置に通知するようにＣｌｏｓｅ_ＢＳ_ＲＥＳをユーザー装置に送信する。次に、ユーザー装置は、アイドルリソース利用をオフにする通知を受信した後に、基地局のオフ操作に成功したことを受信した場合、ステップＳ１００６”では、Ｏｐｅｎ_Ｃｌｏｓｅ_ＲＥＳ＝１を基地局にフィードバックすることで、その後、基地局及びユーザー装置は従来の方法でＰ２プロセス及び／又はＰ３プロセスを行うことになる。逆に、ユーザー装置がＯｐｅｎ_Ｃｌｏｓｅ_ＲＥＳ＝０をフィードバックする場合、ユーザーがオフ操作を受信できなかったことを表す。
【００９８】
図１０Ａから図１０Ｃに示すシグナリングインタラクティブフローは、本開示の原理を説明するために与えられた例に過ぎず、当業者であれば、本開示の原理に従って、適切な変形を加えることができ、全てのそのような変形は本開示の範囲内に入ると考えられることは注意されたいまた、図１０Ａから図１０Ｃでは、説明の便宜上、各ステップに時系列的に番号を付しているが、これらの番号はこれらのステップが実行される先後順序を示さない。実際に、これらのステップは並行して実行されてもよく、又は、順序を入れ替えることもできることも注意されたい。
【００９９】
上記の装置実施例に対応して、本開示による方法の実施例を図１１から図１２を参照し以下に説明する。
【０１００】
図１１は、本開示の実施例による無線通信システムにおける方法の手順の一例を示すフローチャートである。当該方法は基地局側で実行することができる。
【０１０１】
図１１に示すように、当該実施例による方法はステップＳ１１０１から開始する。ステップＳ１１０１では、チャネル状態情報−参照信号ＣＳＩ−ＲＳマッピング構造に基づいて、Ｐ２プロセス及び／又はＰ３プロセスにおけるアイドルリソース要素を確定し、Ｐ２プロセスにおいて送信ビーム走査のみが行われ、Ｐ３プロセスにおいて受信ビーム走査のみが行われ、また、アイドルリソース要素とは、ＣＳＩ−ＲＳによって占有されるＯＦＤＭシンボル内のＣＳＩ−ＲＳによって占有されていないリソース要素である。
【０１０２】
そして、当該方法はステップＳ１１０２へ進む。ステップＳ１１０２において、Ｐ２プロセス及び／又はＰ３プロセスを行うときに、アイドルリソース要素を利用してデータ及び／又は制御情報をユーザー装置に送信するように基地局を制御する。
【０１０３】
好ましくは、当該方法は、基地局がＰ２プロセス及び／又はＰ３プロセスを行うことをトリガーするユーザー装置の数に基づき、Ｐ２プロセス及び／又はＰ３プロセスにおけるアイドルリソース要素の利用をオンにするかどうかを確定し、確定結果を各ユーザー装置に通知することを含むことができる。その数が第１の閾値よりも低い場合、アイドルリソース要素の利用をオフにすることを確定し、その数が第２の閾値よりも高い場合、セル範囲全体内でのビーム走査プロセスを行うことを確定し、その数が第１の閾値と第２の閾値との間にある場合、アイドルリソース要素の利用をオンにすることを確定する。セル範囲全体内でのビーム走査プロセスを行うことを確定する場合に、当該方法は、基地局に対応するセル範囲内の全てのユーザー装置に対してＣＳＩ−ＲＳマッピング構造を配置することをさらに含む。
【０１０４】
好ましくは、当該方法は、同じサブキャリアにおける全てのアイドルリソース要素を利用して同じデータ及び／又は制御情報を送信するように基地局を制御することをさらに含んでもよい。
【０１０５】
好ましくは、当該方法は、ＣＳＩ−ＲＳによって占有される１つのＯＦＤＭシンボル内のアイドルリソース要素において、当該ＯＦＤＭシンボルを占有するＣＳＩ−ＲＳを送信するための送信ビームと同じ送信ビームでデータ及び／又は制御情報を送信するように基地局を制御することをさらに含んでもよい。
【０１０６】
好ましくは、当該方法は、Ｐ２プロセスを行うときに、ＣＳＩ−ＲＳマッピング構造に基づき、ビーム走査に使用される１つのＯＦＤＭシンボルが１つの走査されるべき送信ビームに対応するようにＣＳＩ−ＲＳを送信するように基地局を制御することをさらに含んでもよい。
【０１０７】
好ましくは、当該方法は、Ｐ３プロセスを行うときに、ＣＳＩ−ＲＳマッピング構造に基づき、ビーム走査に使用される全てのＯＦＤＭシンボルが同じ送信ビームに対応するようにＣＳＩ−ＲＳを送信するように基地局を制御することをさらに含んでもよい。
【０１０８】
好ましくは、当該方法は、各ユーザー装置に対して、少なくとも走査されるべき送信ビーム及び／又は受信ビームの数及びサブサンプリングファクタに基づいて、ＣＳＩ−ＲＳマッピング構造を配置し、ＣＳＩ−ＲＳマッピング構造をユーザー装置に通知することをさらに含んでもよい。
【０１０９】
好ましくは、当該方法は、各ユーザー装置に対して、１つのリソースブロックに含まれるＯＦＤＭシンボルがそれぞれビーム走査に使用されるＣＳＩ−ＲＳ及びチャネル状態情報ＣＳＩフィードバックに使用されるＣＳＩ−ＲＳによって占有されるようにＣＳＩ−ＲＳマッピング構造を配置することをさらに含んでもよい。
【０１１０】
好ましくは、当該方法は、各ユーザー装置に対して、走査されるべき送信ビーム及び／又は受信ビームの数に基づき、１つのリソースブロックにおけるビーム走査に使用されるＣＳＩ−ＲＳによって占有されるＯＦＤＭシンボルを確定し、ビーム走査に使用されるＣＳＩ−ＲＳによって占有されるＯＦＤＭシンボルに基づき１つのリソースブロックにおけるＣＳＩフィードバックに使用されるＣＳＩ−ＲＳによって占有されるＯＦＤＭシンボルを確定することによって、ＣＳＩ−ＲＳマッピング構造を配置することをさらに含んでもよい。
【０１１１】
好ましくは、当該方法は、各ユーザー装置に対して、１つのリソースブロックにおおいてビーム走査に使用されるＣＳＩ−ＲＳによって占有されるＯＦＤＭシンボルがＣＳＩフィードバックに使用されるＣＳＩ−ＲＳによって占有されるＯＦＤＭシンボルの前に配置されるようにＣＳＩ−ＲＳマッピング構造を配置することをさらに含んでもよい。
【０１１２】
好ましくは、当該方法は、ＣＳＩ−ＲＳマッピング構造をビットマップ形式で表すことをさらに含んでもよい。
【０１１３】
好ましくは、当該方法は、１つのリソースブロックにおける各サブキャリアが１つのビットシーケンスに対応するようにビットマップを生成し、その中、各サブキャリアのうちＣＳＩ−ＲＳによって占有されるリソース要素が１として表され、ＣＳＩ−ＲＳによって占有されていないリソース要素が０として表されることをさらに含んでもよい。
【０１１４】
好ましくは、当該方法は、２つのサブキャリアに対応するビットシーケンス、サブサンプリングファクタを指示するビットシーケンス、及びビーム走査に使用されるＣＳＩ−ＲＳによって占有されるＯＦＤＭシンボルの数を指示するビットシーケンスを少なくとも送信するように基地局を制御するによって、ＣＳＩ−ＲＳマッピング構造をユーザー装置に通知し、サブサンプリングファクタにはビーム走査に使用されるサブサンプリングファクタ及びＣＳＩフィードバック使用されるサブサンプリングファクタが含まれることをさらに含んでもよい。
【０１１５】
好ましくは、ＣＳＩ−ＲＳマッピング構造では、ＣＳＩ−ＲＳによって占有されるリソース要素は同じ又は異なるアンテナポートに対応し、そして、ＣＳＩ−ＲＳによって占有されるＯＦＤＭシンボルは連続的又は不連続的である。
【０１１６】
ここで説明した方法の実施例は、図１から図８を参照して上述した装置２００、３００、及び７００の実施例に対応するので、ここで詳細に説明されていない内容は、上記の対応する位置の説明を参照することができ、ここで再度説明しないことは理解されるべきである。
【０１１７】
図１２は、本開示の実施例による無線通信システムにおける方法の手順の一例を示すフローチャートである。当該方法は、ユーザー装置側で実行することができる。
【０１１８】
図１２に示すように、当該方法はステップＳ１２０１から開始する。ステップＳ１２０１では、基地局によって通知されるＣＳＩ−ＲＳマッピング構造を取得する。その後、当該方法はステップＳ１２０２に進む。ステップＳ１２０２では、取得したＣＳＩ−ＲＳマッピング構造に基づき、基地局がＰ２プロセス及び／又はＰ３プロセスにおいてアイドルリソース要素を利用して送信するデータ及び／又は制御情報を受信するようにユーザー装置を制御する。
【０１１９】
好ましくは、当該方法は、基地局からの、Ｐ２プロセス及び／又はＰ３プロセスにおけるアイドルリソース要素の利用をオンにするかどうかに関する確定結果に基づき、基地局がアイドルリソース要素を利用して送信するデータ及び／又は制御情報を受信するようにユーザー装置を制御することをさらに含んでもよい。
【０１２０】
好ましくは、当該方法は、Ｐ２プロセスを行うときに、基地局が異なる走査されるべき送信ビームを利用して送信するＣＳＩ−ＲＳ、データ及び／又は制御情報を、同じ受信ビームを利用して受信するようにユーザー装置を制御することをさらに含んでもよい。
【０１２１】
好ましくは、当該方法は、Ｐ３プロセスを行うときに、基地局が同じ送信ビームを利用して送信するＣＳＩ−ＲＳ、データ及び／又は制御情報を、異なる走査されるべき受信ビームをそれぞれ利用して受信するようにユーザー装置を制御することをさらに含んでもよい。
【０１２２】
ここで説明した方法の実施例は、図９を参照して上述した装置９００の実施例に対応するので、ここで詳細に説明されていない内容は、上記の対応する位置の説明を参照することができ、ここで再度説明しないことは理解されるべきである。
【０１２３】
なお、本開示の実施例による無線通信システムにおける方法の手順の例について以上説明したが、これはあくまでも一例であり、限定的なものではなく、当業者であれば、本開示の原理に従って上記の実施例を修正することができ、例えば、様々な実施例におけるステップは、追加、削除、組み合わせなどされてもよく、そのような修正は全て本開示の範囲内に入る。
【０１２４】
本開示の実施例による記憶媒体及びプログラム製品における機械可読命令コードは、上記の装置実施例に対応する方法を実行するように配置されることもできるので、ここで詳細に説明されていない内容は、上記の対応する位置の説明を参照することができ、ここで再度説明しないことは理解されるべきである。
【０１２５】
相応的に、上記した機械可読命令コードが含まれるプログラム製品を担うための記憶媒体も本発明の開示に含まれる。当該記憶媒体は、フロッピーディスク、光ディスク、光磁気ディスク、メモリカード、メモリスティックなどを含むが、これらに限定されない。
【０１２６】
また、上記一連の処理及び装置は、ソフトウェア及び／又はファームウェアによって実現することができることも注意されたい。ソフトウェア又はファームウェアによって実現する場合に、記憶媒体又はネットワークから専用のハードウェア構成を有するコンピューター、例えば、図１３に示す汎用コンピューター１３００にインストールしてもよく、当該コンピューターは、各種のプログラムがインストールされる場合に、各種の機能などを実行することができる。図１３は、本開示の実施例における使用可能な情報処理装置であるパーソナルコンピュータの例示的な構成を示すブロック図である。
【０１２７】
図１３において、中央処理装置（即ち、ＣＰＵ）１３０１は、読み取り専用メモリ（ＲＯＭ）１３０２に記憶されたプログラム又は記憶部分１３０８からランダムアクセスメモリ（ＲＡＭ）１３０３にロードされたプログラムに従って各種の処理を実行する。ＲＡＭ１３０３において、必要に応じても、ＣＰＵが様々な処理などを実行する時に必要なデータが記憶される。
【０１２８】
ＣＰＵ１３０１、ＲＯＭ１３０２、及びＲＡＭ１３０３はバス１３０４を介して互いに接続される。入力／出力インタフェース１３０５もバス１３０４に接続される。
【０１２９】
キーボード、マウスなどを含む入力部分１３０６、例えば陰極線管（ＣＲＴ）、液晶ディスプレイ（ＬＣＤ）などのディスプレイ、スピーカなどを含む出力部分１３０７、ハードウェアなどを含む記憶部分１３０８、例えばＬＡＮカードやモデムなどのネットワークインターフェースカードを含む通信部分１３０９が入力／出力インターフェース１３０５に接続される。通信部分１３０９は、例えばインターネットなどのネットワークを介して通信処理を実行する。
【０１３０】
必要に応じて、ドライバー１３１０も入力／出力インタフェース１３０５に接続される。例えば磁気ディスク、光ディスク、光磁気ディスク、半導体メモリなどのリムーバブルメディア１３１１は、その中から読み出したコンピュータプログラムが必要に応じて記憶部１３０８にインストールされるように、必要に応じてドライバー１３１０に装着される。
【０１３１】
ソフトウェアによって上記の一連の処理を実現する場合に、インターネットなどのネットワークやリムーバブルメディア１３１１などの記憶媒体から、ソフトウェアを構成するプログラムをインストールする。
【０１３２】
当業者が理解すべきことは、このような記憶媒体が図１３に示すような、その中にプログラムが記憶され、装置とは別途配布してユーザーにプログラムを提供するリムーバブルメディア１３１１に限定されない。リムーバブルメディア１３１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ１３０２、記憶部分１３０８に含まれたハードウェアなどの、その中にプログラムが記憶され、これらが含まれる装置と一緒にユーザーに配布するものであってもよい。
【０１３３】
本開示の技術は様々な製品に適用することができる。例えば、本開示で言及された基地局は、例えばマクロｅＮＢや小ｅＮＢなどの任意のタイプの進化ノードＢ（ｅＮＢ）として実現されることができる。小ｅＮＢは、例えばピコｅＮＢ、マイクロｅＮＢ、及び家庭(フェムト)ｅＮＢなどのマクロセルより小さいセルをカバーできるｅＮＢであってもよい。その代わりに、基地局は、例えばＮｏｄｅＢと基地局トランシーバ(Ｂａｓｅ  Ｔｒａｎｓｃｅｉｖｅｒ  Ｓｔａｔｉｏｎ、ＢＴＳ)のような任意の他のタイプの基地局として実現されることができる。基地局は、無線通信を制御するように配置される主体(基地局装置とも呼ばれる)と、主体と異なるところに設けられる１つ又は複数のリモート無線ヘッド(Ｒｅｍｏｔｅ  Ｒａｄｉｏ  Ｈｅａｄ、ＲＲＨ)とを含むことができる。また、後述する様々なタイプの端末はいずれも、基地局機能を一時的又は半永久的に実行することによって、基地局として機能することができる。
【０１３４】
例えば、本開示で言及されたＵＥは、携帯端末(例えばスマートフォン、タブレットパーソナルコンピューター(ＰＣ)、ノートＰＣ、携帯ゲーム端末、ポータブル／ドングルモバイルルーター、及びデジタル撮影装置など)又は車載端末(カーナビゲーション装置など)として実現されることができる。ＵＥは、マシンツーマシン(Ｍ２Ｍ)通信を実行する端末(マシン型通信(ＭＴＣ)端末とも呼ばれる)として実現されることができる。また、ＵＥは、上記端末のうちの各端末に搭載された無線通信モジュール(例えば単一又は複数のチップが含まれる集積回路モジュール)であってもよい。
【０１３５】
以下、本開示による適用例について図１４乃至図１７を参照して説明する。
【０１３６】
[基地局についての適用例]
(第１の適用例)
図１４は、本開示の技術を適用できるｅＮＢの概略構成の第１の例を示すブロック図である。ｅＮＢ１４００は１つ又は複数のアンテナ１４１０及び基地局装置１４２０を含む。基地局装置１４２０と各アンテナ１４１０はＲＦケーブルを介して接続されてもよい。
【０１３７】
アンテナ１４１０のそれぞれは単一又は複数のアンテナ素子(例えば多入力多出力(ＭＩＭＯ)アンテナに含まれる複数のアンテナ素子)を含み、基地局装置１４２０の無線信号の送受信に使用される。図１４に示すように、ｅＮＢ１４００は複数のアンテナ１４１０を含んでもよい。  例えば、複数のアンテナ１４１０はｅＮＢ１４００に使用される複数の周波数領域と互換性があり得る。図１４に、ｅＮＢ１４００には複数のアンテナ１４１０が含まれる例を示したが、ｅＮＢ１４００は単一のアンテナ１４１０を含んでもよい。
【０１３８】
基地局装置１４２０は、コントローラ１４２１、メモリ１４２２、ネットワークインターフェース１４２３及び無線通信インターフェース１４２５を含む。
【０１３９】
コントローラ１４２１は、例えばＣＰＵ又はＤＳＰであり、且つ、基地局装置１４２０の上位層の各種機能を動作させる。例えば、コントローラ１４２１は、無線通信インターフェース１４２５によって処理された信号におけるデータに基づいてデータパケットを生成し、ネットワークインターフェース１４２３を介して、生成されたパケットを伝達する。コントローラ１４２１は、複数のベースバンドプロセッサからのデータをバンドルして、バンドルパケットを生成し、生成されたバンドルパケットを伝達することができる。コントローラ１４２１は以下のような制御を実行する論理機能を有してもよく、当該制御は例えば、無線リソース制御、無線ベアラ制御、移動管理、受付制御、スケジューリングなどである。当該制御は、近くのｅＮＢ又はコアネットワークノードと結合して実行されることができる。メモリ１４２２はＲＡＭとＲＯＭを含み、コントローラ１４２１によって実行されるプログラム及び各種制御データ(例えば、端末リスト、送信パワーデータ及びスケジューリングデータ)が記憶される。
【０１４０】
ネットワークインターフェース１４２３は、基地局装置１４２０をコアネットワーク１４２４の通信インターフェースに接続するためのものである。コントローラ１４２１は、ネットワークインターフェース１４２３を介してコアネットワークノード又は別のｅＮＢと通信することができる。この場合、ｅＮＢ１４００とコアネットワークノード又は他のｅＮＢとは、論理インターフェース(例えばＳ１インターフェースとＸ２インターフェース)によって互いに接続される。ネットワークインターフェース１４２３は、有線通信インターフェース又は無線バックホール回線用の無線通信インターフェースであってもよい。ネットワークインターフェース１４２３が無線通信インターフェースであれば、無線通信インターフェース１４２５によって使用される周波数帯域と比べると、ネットワークインターフェース１４２３はより高い周波数帯域を無線通信に使用することができる。
【０１４１】
無線通信インターフェース１４２５は任意のセルラー通信方式(例えば、長期的な進化(ＬＴＥ)和ＬＴＥー先進)をサポートし、アンテナ１４１０を介してｅＮＢ１４００のセルに位置する端末への無線接続を提供する。無線通信インターフェース１４２５は通常、例えばベースバンド(ＢＢ)プロセッサ１４２６とＲＦ回路１４２７を含むことができる。ＢＢプロセッサ１４２６は例えば、シンボル化／復号化、変調／復調、多重化／多重化解除を実行すると共に、レイヤー(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ１４２１の代わりに、ＢＢプロセッサ１４２６は、上記した論理機能の一部又は全部を有してもよい。ＢＢプロセッサ１４２６は、通信制御プログラムが記憶されるメモリであってもよく、或いは、プログラムを実行するように配置されるプロセッサ及び関連する回路を含むモジュールであってもよい。プログラムの更新は、ＢＢプロセッサ１４２６の機能を変更させることができる。当該モジュールは、基地局装置１４２０のスロットに挿入されるカード又はブレッドであってもよい。その代わりに、当該モジュールは、カード又はブレッドに搭載されるチップであってもよい。同時に、ＲＦ回路１４２７は、例えばミキサ、フィルタ、増幅器を含んで、アンテナ１４１０を介して無線信号を送受信してもよい。
【０１４２】
図１４に示すように、無線通信インターフェース１４２５は複数のＢＢプロセッサ１４２６を含んでもよい。例えば、複数のＢＢプロセッサ１４２６は、ｅＮＢ１４００に使用される複数の周波数帯域と互換性があり得る。図１４に示すように、無線通信インターフェース１４２５は複数のＲＦ回路１４２７を含んでもよい。例えば、複数のＲＦ回路１４２７は複数のアンテナ素子と互換性があり得る。図１４には、無線通信インターフェース１４２５に複数のＢＢプロセッサ１４２６と複数のＲＦ回路１４２７を含む例を示したが、無線通信インターフェース１４２５は単一のＢＢプロセッサ１４２６又は単一のＲＦ回路１４２７を含んでもよい。
【０１４３】
(第２の適用例)
図１５は本開示の技術を適用できるｅＮＢの概略構成の第２の例を示すブロック図である。ｅＮＢ１５３０は１つ又は複数のアンテナ１５４０と、基地局装置１５５０と、ＲＲＨ１５６０とを含む。ＲＲＨ１５６０と各アンテナ１５４０はＲＦケーブルを介して互いに接続されることができる。基地局装置１５５０とＲＲＨ１５６０は光ファイバケーブルのような高速回線を介して互いに接続されることができる。
【０１４４】
アンテナ１５４０のそれぞれは単一又は複数のアンテナ素子(例えば、ＭＩＭＯアンテナに含まれた複数のアンテナ素子)を含み、ＲＲＨ１５６０の無線信号の送受信に使用される。図１５に示すように、ｅＮＢ１５３０は複数のアンテナ１５４０を含んでもよい。例えば、複数のアンテナ１５４０はｅＮＢ１５３０によって使用される複数の周波数帯域と互換性があり得る。図１５に、ｅＮＢ１５３０に複数のアンテナ１５４０が含まれる例を示したが、ｅＮＢ１５３０は単一のアンテナ１５４０を含んでもよい。
【０１４５】
基地局装置１５５０は、コントローラ１５５１と、メモリ１５５２と、ネットワークインターフェース１５５３と、無線通信インターフェース１５５５と、接続インターフェース１５５７とを含む。コントローラ１５５１、メモリ１５５２、及びネットワークインターフェース１５５３は図１４を参照して説明したコントローラ１４２１、メモリ１４２２、ネットワークインターフェース１４２３と同様である。
【０１４６】
無線通信インターフェース１５５５は任意のセルラー通信方式(例えばＬＴＥとＬＴＥー先進)をサポートし、ＲＲＨ１５６０とアンテナ１５４０を介してＲＲＨ１５６０に対応するセクタに位置する端末への無線通信を提供する。無線通信インターフェース１５５５は通常、例えばＢＢプロセッサ１５５６を含んでもよい。ＢＢプロセッサ１５５６が接続インターフェース１５５７を介してＲＲＨ１５６０のＲＦ回路１５６４に接続する以外、ＢＢプロセッサ１５５６は図１５を参照して説明したＢＢプロセッサ１５２６と同様である。図１５に示すように、無線通信インターフェース１５５５は複数のＢＢプロセッサ１５５６を含んでもよい。例えば、複数のＢＢプロセッサ１５５６はｅＮＢ１５３０に使用される複数の周波数領域と互換性があり得る。図１５に、無線通信インターフェース１５５５に複数のＢＢプロセッサ１５５６が含まれる例を示したが、無線通信インターフェース１５５５は単一のＢＢプロセッサ１５８５６を含んでもよい。
【０１４７】
接続インターフェース１５５７は基地局装置１５５０(無線通信インターフェース１５５５)をＲＲＨ１５６０に接続するためのインターフェースである。接続インターフェース１５５７は基地局装置１５５０(無線通信インターフェース１５８５５)をＲＲＨ１５６０の上記した高速回線における通信に接続するための通信モジュールであってもよい。
【０１４８】
ＲＲＨ１５６０は接続インターフェース１５６１と無線通信インターフェース１５６３を含む。
【０１４９】
接続インターフェース１５６１はＲＲＨ１５６０(無線通信インターフェース１５６３)を基地局装置１５５０に接続するためのインターフェースである。接続インターフェース１５６１は上記した高速回線における通信のための通信モジュールであってもよい。
【０１５０】
無線通信インターフェース１５６３はアンテナ１５４０を介して無線信号を送受信する。無線通信インターフェース１５６３は通常、例えばＲＦ回路１５６４を含んでもよい。ＲＦ回路１５６４は例えばミキサ、フィルタ、増幅器を含んで、アンテナ１５４０を介して無線信号を送受信してもよい。図１５に示すように、無線通信インターフェース１５６３は複数のＲＦ回路１５６４を含んでもよい。例えば、複数のＲＦ回路１５６４は複数のアンテナ素子をサポートすることができる。図１５に、無線通信インターフェース１５６３に複数のＲＦ回路１５６４が含まれる例を示したが、無線通信インターフェース１５６３は単一のＲＦ回路１５６４を含んでもよい。
【０１５１】
図１４及び図１５に示すｅＮＢ１４００及びｅＮＢ１５３０では、図２、図３及び図７により説明される装置２００、３００及び７００における通信ユニットは、無線通信インタフェース１４２５並びに無線通信インタフェース１５５５及び／又は無線通信インタフェース１５６３によって実現することができる。図２、図３及び図７により説明される装置２００、３００及び７００におけるアイドルリソース要素確定ユニット、制御ユニット、配置ユニット、判定ユニットの機能の少なくとも一部はコントローラ１４２１及びコントローラ１５５１によって実現することもできる。
【０１５２】
[ユーザー装置についての適用例]
(第１の適用例)
図１６は本開示の技術を適用できるスマートフォン１６００の概略構成の例を示すブロック図である。スマートフォン１６００はプロセッサ１６０１、メモリ１６０２、記憶装置１６０３、外部接続インターフェース１６０４、撮影装置１６０６、センサー１６０７、マイク１６０８、入力装置１６０９、表示装置１６１０、スピーカ１６１１、無線通信インターフェース１６１２、１つ又は複数のアンテナスイッチ１６１５、１つ又は複数のアンテナ１６１６、バス１６１７、バッテリー１６１８及び補助コントローラ１６１９を含む。
【０１５３】
プロセッサ１６０１は例えばＣＰＵ又はシステムオンチップ(ＳｏＣ)であってもよく、スマートフォン１６００のアプリケーション層と他の層の機能を制御することができる。メモリ１６０２はＲＡＭとＲＯＭを含み、データとプロセッサ１６０１によって実行されるプログラムが記憶される。記憶装置１６０３は例えば半導体メモリとハードディスクのような記憶媒体を含むことができる。外部接続インターフェース１６０４は外部装置(例えばメモリカードとユニバーサルシリアルバス(ＵＳＢ)装置)をスマートフォン１６００に接続するためのインターフェースである。
【０１５４】
撮影装置１６０６はイメージセンサー(例えば電荷結合デバイス(ＣＣＤ)と相補型金属酸化物半導体(ＣＭＯＳ))を含み、撮影した画像を生成する。センサー１６０７は例えば測定センサー、ジャイロセンサー、地磁気センサー及び加速度センサーのような１組みのセンサーを含んでもよい。マイク１６０８はスマートフォン１６００に入力された音をオーディオ信号に変換する。入力装置１６０９は例えば表示装置１６１０のスクリーンでのタッチを検出するように配置されるタッチセンサー、キーパッド、キーボード、ボタンやスイッチを含み、ユーザーから入力された動作又は情報を受信する。表示装置１６１０はスクリーン(例えば液晶ディスプレイ(ＬＣＤ)と有機発光ダイオード(ＯＬＥＤ)ディスプレイ)を含み、スマートフォン１６００の出力画像を表示する。スピーカ１６１１はスマートフォン１６００から出力したオーディオ信号を音に変換する。
【０１５５】
無線通信インターフェース１６１２は任意のセルラー通信方式(例えば、ＬＴＥとＬＴＥ−先進)をサポートし、無線通信を実行する。無線通信インターフェース１６１２は通常、例えばＢＢプロセッサ１６１３とＲＦ回路１６１４を含むことができる。ＢＢプロセッサ１６１３は例えば、符号化／復号化、変調／復調、多重化／多重化解除を実行すると共に、無線通信のための様々なタイプの信号処理を実行することができる。同時に、ＲＦ回路１６１４は例えばミキサ、フィルタ、増幅器を含んで、アンテナ１６１６を介して無線信号を送受信することができる。無線通信インターフェース１６１２はその上にＢＢプロセッサ１６１３とＲＦ回路１６１４が集積される１つのチップモジュールであってもよい。図１６に示すように、無線通信インターフェース１６１２は複数のＢＢプロセッサ１６１３と複数のＲＦ回路１６１４を含んでもよい。図１６に、無線通信インターフェース１６１２に複数のＢＢプロセッサ１６１３と複数のＲＦ回路１６１４が含まれる例を示したが、無線通信インターフェース１６１２は単一のＢＢプロセッサ１６１３又は単一のＲＦ回路１６１４を含んでもよい。
【０１５６】
なお、セルラー通信方式の以外、無線通信インターフェース１６１２は、例えば短距離無線通信方式、近接通信方式や無線ローカルネットワーク(ＬＡＮ)方式などの別のタイプの無線通信方式をサポートすることができる。この場合、無線通信インターフェース１６１２は各種の無線通信方式に対するＢＢプロセッサ１６１３とＲＦ回路１６１４を含んでもよい。
【０１５７】
アンテナスイッチ１６１５のそれぞれは無線通信インターフェース１６１２に含まれる複数の回路(例えば異なる無線通信方式に使用される回路)間でアンテナ１６１６の接続先を切り替える。
【０１５８】
アンテナ１６１６のそれぞれは単一又は複数のアンテナ素子(例えばＭＩＭＯアンテナに含まれる複数のアンテナ素子)を含み、無線通信インターフェース１６１２の無線信号の送受信に使用される。図１６に示すように、スマートフォン１６００は複数のアンテナ１６１６を含んでもよい。図１６に、スマートフォン１６００に複数のアンテナ１６１６が含まれる例を示したが、スマートフォン１６００は単一のアンテナ１６１６を含んでもよい。
【０１５９】
なお、スマートフォン１６００は各種の無線通信方式に対するアンテナ１６１６を含んでもよい。この場合に、アンテナスイッチ１６１５はスマートフォン１６００の配置から省略されてもよい。
【０１６０】
バス１６１７はプロセッサ１６０１、メモリ１６０２、記憶装置１６０３、外部接続インターフェース１６０４、撮像装置１６０６、センサー１６０７、マイク１６０８、入力装置１６０９、表示装置１６１０、スピーカ１６１１、無線通信インターフェース１６１２及び補助コントローラ１６１９を互いに接続する。バッテリー１６１８は給電線によって図１６に示すスマートフォン１６００の各ブロックに電力を供給し、給電線は図面において部分的に点線によって表される。補助コントローラ１６１９は例えばスリープモードでスマートフォン１６００の最少の必要な機能を動作させる。
【０１６１】
図１６に示すスマートフォン１６００では、図９により説明される装置９００における通信ユニットは無線通信インタフェース１６１２によって実現することができる。図９により説明される装置９００における取得ユニット及び制御ユニットの機能の少なくとも一部は、プロセッサ１６０１又は補助コントローラ１６１９によって実現することもできる。  
【０１６２】
(第２の適用例)
図１７は、本開示の技術を適用できるカーナビゲーション装置１７２０の概略構成の例を示すブロック図である。カーナビゲーション装置１７２０はプロセッサ１７２１、メモリ１７２２、全球位置決めシステム(ＧＰＳ)モジュール１７２４、センサー１７２５、データインターフェース１７２６、コンテンツプレーヤー１７２７、記憶媒体インターフェース１７２８、入力装置１７２９、表示装置１７３０、スピーカ１７３１、無線通信インターフェース１７３３、１つ又は複数のアンテナスイッチ１７３６、１つ又は複数のアンテナ１７３７及びバッテリー１７３８を含む。
【０１６３】
プロセッサ１７２１は例えばＣＰＵ又はＳｏＣであり、カーナビゲーション装置１７２０のナビゲーション機能と他の機能を制御することができる。メモリ１７２２はＲＡＭとＲＯＭを含み、データとプロセッサ１７２１によって実行されるプログラムが記憶される。
【０１６４】
ＧＰＳモジュール１７２４はＧＰＳ衛星から受信したＧＰＳ信号を使用してカーナビゲーション装置１７２０の位置(例えば、緯度、経度、高度)を測定する。センサー１７２５は、例えばジャイロセンサー、地磁気センサー及び気圧センサーのような１組みのセンサーを含んでもよい。データインターフェース１７２６は図示しない端末を介して例えば車のネットワーク１７４１に接続され、車両が生成したデータ(例えば、車速データ)を取得する。
【０１６５】
コンテンツプレーヤー１７２７は記憶媒介(例えば、ＣＤとＤＶＤ)に記憶されたコンテンツを再生して、当該記憶媒介は記憶媒介インターフェース１７２８に挿入される。入力装置１７２９は例えば表示装置１７３０のスクリーンでのタッチを検出するように配置されるタッチセンサー、ボタン又はスイッチを含み、ユーザーから入力された動作又は情報を受信する。表示装置１７３０は例えばＬＣＤやＯＬＥＤディスプレイのスクリーンを含み、ナビゲーション機能の画像又は再生されたコンテンツを表示する。スピーカ１７３１はナビゲーション機能の音又は再生されたコンテンツを出力する。
【０１６６】
無線通信インターフェース１７３３は任意のセルラー通信方式(例えば、ＬＴＥとＬＴＥ−先進)をサポートし、無線通信を実行することができる。無線通信インターフェース１７３３は通常、例えばＢＢプロセッサ１７３４とＲＦ回路１７３５を含むことができる。ＢＢプロセッサ１７３４は、例えばシンボル化／復号化、変調／復調、及び多重化／多重化解除を実行すると共に、無線通信に使用される様々なタイプの信号処理を実行することができる。同時に、ＲＦ回路１７３５は例えばミキサ、フィルタ、増幅器を含み、アンテナ１７３７を介して無線信号を送受信することができる。無線通信インターフェース１７３３はその上にＢＢプロセッサ１７３４とＲＦ回路１７３５が集積される１つのチップモジュールであってもよい。図１７に示すように、無線通信インターフェース１７３３は複数のＢＢプロセッサ１７３４と複数のＲＦ回路１７３５を含んでもよい。図１７に、無線通信インターフェース１７３３に複数のＢＢプロセッサ１７３４と複数のＲＦ回路１７３５が含まれる例を示したが、無線通信インターフェース１７３３は単一のＢＢプロセッサ１７３４又は単一のＲＦ回路１７３５を含んでもよい。
【０１６７】
なお、セルラー通信方式の以外、無線通信インターフェース１７３３は、例えば短距離無線通信方式、近接通信方式、及び無線ＬＡＮ方式のような別のタイプの無線通信方式をサポートすることができる。この場合、各種の無線通信方式に対して、無線通信インターフェース１７３３はＢＢプロセッサ１７３４とＲＦ回路１７３５を含んでもよい。
【０１６８】
アンテナスイッチ１７３６のそれぞれは無線通信インターフェース１７３３に含まれる複数の回路(例えば、異なる無線通信方式に使用される回路)間でアンテナ１７３７の接続先を切り替える。
【０１６９】
アンテナ１７３７のそれぞれは単一又は複数のアンテナ素子(例えばＭＩＭＯアンテナに含まれる複数のアンテナ素子)を含み、無線通信インターフェース１７３３の無線信号の送受信に使用される。図１７に示すように、カーナビゲーション装置１７２０は複数のアンテナ１７３７を含んでもよい。図１７に、カーナビゲーション装置１７２０に複数のアンテナ１７３７が含まれる例を示したが、カーナビゲーション装置１７２０は単一のアンテナ１７３７を含んでもよい。
【０１７０】
なお、カーナビゲーション装置１７２０は各種の無線通信方式に対するアンテナ１７３７を含んでもよい。この場合、アンテナスイッチ１７３６はカーナビゲーション装置１７２０の配置から省略されてもよい。
【０１７１】
バッテリー１７３８は給電線によって図１７に示すカーナビゲーション装置１７２０の各ブロックに電力を供給し、給電線は図面において部分的に点線によって示される。バッテリー１７３８は車両から供給した電力を蓄積する。
【０１７２】
図１７に示すカーナビゲーション装置１７２０では、図９により説明された装置９００における通信ユニットは無線通信インタフェース１７３３によって実現することができる。図９により説明された装置９００における取得ユニット及び制御ユニットの機能の少なくとも一部は、プロセッサ１７２１によって実現することもできる。
【０１７３】
本開示の技術はカーナビゲーション装置１７２０、車のネットワーク１７４１及び車両モジュール１７４２のうち１つ又は複数のブロックが含まれる車載システム(又は車両１７４０として実現されてもよい。車両モジュール１７４２は車両データ(例えば車速、エンジン速度、故障情報)を生成し、生成されたデータを車のネットワーク１７４１に出力する。
【０１７４】
以上、本開示の好ましい実施例について図面を参照して説明したが、本開示はもちろん、上記の例示に限定されるものではない。当業者であれば、添付の請求項の範囲で、様々な修正及び変更が可能であり、これらの修正及び変更も本開示の技術的範囲内に含まれると理解されるべきである。
【０１７５】
例えば、以上の実施例では、１つのユニットに含まれる複数の機能は、別々の装置によって実現することができる。その代わり、以上の実施例では、複数のユニットによって実現される複数の機能はそれぞれ、別々の装置によって実現することができる。また、以上の機能のうち１つは複数のユニットによって実現することができる。そのような構成は、本開示の技術的範囲に含まれることは言うまでもない。
【０１７６】
本明細書では、フローチャート記載示されるステップには、前記順序が時系列に沿って実行される処理だけでなく、必ずしも時系列ではなく並列的又は独立して実行される処理も含まれる。また、時系列で処理されるステップでも、当該順序を入れ替えてもよいことは言うまでもない。
【０１７７】
本開示及びその利点について既に詳細に説明したが、添付の請求項によって限定される本開示の精神及び範囲から逸脱することがなく、様々な修正、置換及び変更が可能であると理解すべきである。そして、本開示の実施例の用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「...を一つ含む」という文によって限定される要素は、前記要素を含むプロセス、方法、物品又はデバイスに他の同じ要素がさらに含まれることを排除しない。
【図１】
2020522942.tif 000003
【図２】
2020522942.tif 000004
【図３】
2020522942.tif 000005
【図４】
2020522942.tif 000006
【図５】
2020522942.tif 000007
【図６】
2020522942.tif 000008
【図７】
2020522942.tif 000009
【図８】
2020522942.tif 000010
【図９】
2020522942.tif 000011
【図１０Ａ】
2020522942.tif 000012
【図１０Ｂ】
2020522942.tif 000013
【図１０Ｃ】
2020522942.tif 000014
【図１１】
2020522942.tif 000015
【図１２】
2020522942.tif 000016
【図１３】
2020522942.tif 000017
【図１４】
2020522942.tif 000018
【図１５】
2020522942.tif 000019
【図１６】
2020522942.tif 000020
【図１７】
2020522942.tif 000021
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
無線通信システムにおける装置であって、前記装置は処理回路を含み、前記処理回路は、
チャネル状態情報−参照信号ＣＳＩ−ＲＳマッピング構造に基づいて、Ｐ２プロセス及び／又はＰ３プロセスにおけるアイドルリソース要素を確定し、その中、前記Ｐ２プロセスにおいて送信ビーム走査のみが行われ、前記Ｐ３プロセスにおいて受信ビーム走査のみが行われ、また、前記アイドルリソース要素とは、ＣＳＩ−ＲＳによって占有されるＯＦＤＭシンボル内のＣＳＩ−ＲＳによって占有されていないリソース要素であり、
前記Ｐ２プロセス及び／又はＰ３プロセスを行うときに、前記アイドルリソース要素を利用してデータ及び／又は制御情報をユーザー装置に送信するように基地局を制御するように配置される、装置。
【請求項２】
前記処理回路はさらに、
前記基地局が前記Ｐ２プロセス及び／又は前記Ｐ３プロセスを行うことをトリガーするユーザー装置の数に基づき、前記Ｐ２プロセス及び／又は前記Ｐ３プロセスにおけるアイドルリソース要素の利用をオンにするかどうかを確定し、確定結果を各ユーザー装置に通知し、
前記アイドルリソース要素の利用をオンにすることを確定した場合、各ユーザー装置に対して、前記アイドルリソース要素を利用してデータ及び／又は制御情報を当該ユーザー装置に送信するように前記基地局を制御するように配置される、請求項１に記載の装置。
【請求項３】
前記処理回路はさらに、前記数が第１の閾値よりも低い場合、前記アイドルリソース要素の利用をオフにすることを確定し、
前記数が第２の閾値よりも高い場合、セル範囲全体でのビーム走査プロセスを行うことを確定し、或いは、
前記数が第１の閾値と第２の閾値との間にある場合、前記アイドルリソース要素の利用をオンにすることを確定し、前記第１の閾値が前記第２の閾値よりも小さいように配置される、請求項２に記載の装置。
【請求項４】
前記処理回路はさらに、セル範囲全体でのビーム走査プロセスを行うことを確定した場合、前記基地局に対応するセル範囲内の全てのユーザー装置に対してＣＳＩ−ＲＳマッピング構造を配置するように配置される、請求項３に記載の装置。
【請求項５】
前記処理回路はさらに、同じサブキャリアにおける全てのアイドルリソース要素を利用して同じデータ及び／又は制御情報を送信するように前記基地局を制御するように配置される、請求項１に記載の装置。
【請求項６】
前記処理回路はさらに、ＣＳＩ−ＲＳによって占有される１つのＯＦＤＭシンボルの前記アイドルリソース要素において、当該ＯＦＤＭシンボルを占有するＣＳＩ−ＲＳを送信するための送信ビームと同じ送信ビームでデータ及び／又は制御情報を送信するように前記基地局を制御するように配置される、請求項１に記載の装置。
【請求項７】
前記処理回路はさらに、前記Ｐ２プロセスを行うときに、前記ＣＳＩ−ＲＳマッピング構造に基づき、ビーム走査に使用される１つのＯＦＤＭシンボルが１つの走査されるべき送信ビームに対応するように送信ＣＳＩ−ＲＳを送信するように前記基地局を制御し、或いは
前記Ｐ３プロセスを行うときに、前記ＣＳＩ−ＲＳマッピング構造に基づき、ビーム走査に使用される全てのＯＦＤＭシンボルが同じ送信ビームに対応するようにＣＳＩ−ＲＳを送信するように前記基地局を制御するように配置される、請求項１に記載の装置。
【請求項８】
前記処理回路はさらに、各ユーザー装置に対して、少なくとも走査されるべき送信ビーム及び／又は受信ビームの数及びサブサンプリングファクタに基づき、前記ＣＳＩ−ＲＳマッピング構造を配置し、前記ＣＳＩ−ＲＳマッピング構造をユーザー装置に通知するように配置される、請求項１に記載の装置。
【請求項９】
前記処理回路はさらに、各ユーザー装置に対して、１つのリソースブロックに含まれるＯＦＤＭシンボルがそれぞれ、ビーム走査に使用されるＣＳＩ−ＲＳ及びチャネル状態情報ＣＳＩフィードバックに使用されるＣＳＩ−ＲＳによって占有されるように前記ＣＳＩ−ＲＳマッピング構造を配置するように配置される、請求項８に記載の装置。
【請求項１０】
前記処理回路はさらに、各ユーザー装置に対して、走査されるべき送信ビーム及び／又は受信ビームの数に基づき、１つのリソースブロックにおけるビーム走査に使用されるＣＳＩ−ＲＳによって占有されるＯＦＤＭシンボルを確定し、ビーム走査に使用されるＣＳＩ−ＲＳによって占有されるＯＦＤＭシンボルに基づき、１つのリソースブロックにおけるＣＳＩフィードバックに使用されるＣＳＩ−ＲＳによって占有されるＯＦＤＭシンボルを確定し、これにより、前記ＣＳＩ−ＲＳマッピング構造を配置するように配置される、請求項９に記載の装置。
【請求項１１】
前記処理回路はさらに、各ユーザー装置に対して、１つのリソースブロックにおいてビーム走査に使用されるＣＳＩ−ＲＳによって占有されるＯＦＤＭシンボルがＣＳＩフィードバックに使用されるＣＳＩ−ＲＳによって占有されるＯＦＤＭシンボルの前に配置されるように前記ＣＳＩ−ＲＳマッピング構造を配置するように配置される、請求項９又は１０に記載の装置。
【請求項１２】
前記処理回路はさらに、前記ＣＳＩ−ＲＳマッピング構造をビットマップ形式で表すように配置される、請求項９に記載の装置。
【請求項１３】
前記処理回路はさらに、１つのリソースブロックにおける各サブキャリアが１つのビットシーケンスに対応するように前記ビットマップを生成し、その中、各サブキャリアにおけるＣＳＩ−ＲＳによって占有されるリソース要素が１として表され、ＣＳＩ−ＲＳによって占有されていないリソース要素が０として表されるように配置される、請求項１２に記載の装置。
【請求項１４】
前記処理回路はさらに、２つのサブキャリアに対応するビットシーケンス、サブサンプリングファクタを指示するビットシーケンス、及びビーム走査に使用されるＣＳＩ−ＲＳによって占有されるＯＦＤＭシンボルの数を指示するビットシーケンスを少なくとも送信するように前記基地局を制御することによって、前記ＣＳＩ−ＲＳマッピング構造をユーザー装置に通知し、前記サブサンプリングファクタにはビーム走査に使用されるサブサンプリングファクタ及びＣＳＩフィードバックに使用されるサブサンプリングファクタが含まれるように配置される、請求項１３に記載の装置。
【請求項１５】
前記ＣＳＩ−ＲＳマッピング構造では、ＣＳＩ−ＲＳによって占有されるリソース要素は同じ又は異なるアンテナポートに対応し、或いは
前記ＣＳＩ−ＲＳマッピング構造では、ＣＳＩ−ＲＳによって占有されるＯＦＤＭシンボルは連続的又は不連続的である、請求項１から１４のいずれか１項に記載の装置。
【請求項１６】
前記装置はさらに前記基地局としても動作し、前記装置はさらに、
外部装置との通信を実行するように配置される通信ユニットを含む、請求項１から１４のいずれか１項に記載の装置。
【請求項１７】
無線通信システムにおける装置であって、前記装置は処理回路を含み、前記処理回路は、
基地局によって通知されるチャネル状態情報−参照信号ＣＳＩ−ＲＳマッピング構造に基づき、前記基地局がＰ２プロセス及び／又はＰ３プロセスを行うときにアイドルリソース要素を利用して送信するデータ及び／又は制御情報を受信するようにユーザー装置を制御するように配置され、
前記Ｐ２プロセスにおいて送信ビーム走査のみが行われ、前記Ｐ３プロセスにおいて受信ビーム走査のみが行われ、また、前記アイドルリソース要素とは前記ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素である、装置。
【請求項１８】
前記処理回路はさらに、前記基地局からの、前記Ｐ２プロセス及び／又は前記Ｐ３プロセスにおけるアイドルリソース要素の利用をオンにするかどうかに関する確定結果に基づき、前記基地局が前記Ｐ２プロセス及び／又は前記Ｐ３プロセスを行うときに前記アイドルリソース要素を利用して送信するデータ及び／又は制御情報を受信するようにユーザー装置を制御し、
前記Ｐ２プロセスを行うときに、前記基地局が異なる走査されるべき送信ビームを利用して送信するＣＳＩ−ＲＳ、データ及び／又は制御情報を、同じ受信ビームを利用して受信するようにユーザー装置を制御し、或いは
前記Ｐ３プロセスを行うときに、前記基地局が同じ送信ビームを利用して送信するＣＳＩ−ＲＳ、データ及び／又は制御情報を、異なる走査受信ビームをそれぞれ利用して受信するように前記ユーザー装置を制御するように配置される、請求項１７に記載の装置。
【請求項１９】
前記装置は前記ユーザー装置としても動作し、前記装置はさらに、
外部装置との通信を実行するように配置される通信ユニットをさらに含む、請求項１７又は１８に記載の装置。
【請求項２０】
無線通信システムにおける方法であって、前記方法は、
基地局によって通知されるチャネル状態情報−参照信号ＣＳＩ−ＲＳマッピング構造に基づき、前記基地局がＰ２プロセス及び／又はＰ３プロセスを行うときにアイドルリソース要素を利用して送信するデータ及び／又は制御情報を受信するようにユーザー装置を制御することを含み、
前記Ｐ２プロセスにおいて送信ビーム走査のみが行われ、前記Ｐ３プロセスにおいて受信ビーム走査のみが行われ、前記アイドルリソース要素とは、前記ＣＳＩ−ＲＳマッピング構造に基づいて確定されるものであって、ＣＳＩ−ＲＳによって占有されるＯＦＤＭシンボル内のＣＳＩ−ＲＳによって占有されていないリソース要素である、方法。
【手続補正２】
【補正対象書類名】明細書
【補正対象項目名】００３５
【補正方法】変更
【補正の内容】
【００３５】
具体的に、図１を参照して上述したように、ユーザー装置に対してＰ１プロセスを行う場合、ＣＳＩ−ＲＳによって占有されるＯＦＤＭシンボルの数を走査されるべき送信ビームの数と等しくし、サブサンプリングファクタを走査されるべき受信ビームの数と等しくすることによって、ＣＳＩ−ＲＳマッピング構造を配置することができる。一方、ユーザー装置に対してＰ２プロセス又はＰ３プロセスを行う場合、ＣＳＩ−ＲＳによって占有されるＯＦＤＭシンボルの数を走査されるべき送信ビーム又は受信ビームの数と等しくすることによって、予め設置されたサブサンプリングファクタに基づき、ＣＳＩ−ＲＳマッピング構造を配置する。配置されたＣＳＩ−ＲＳマッピング構造は、例えば、図１の(ａ)に示す通りであり得る。
【手続補正３】
【補正対象書類名】明細書
【補正対象項目名】００４０
【補正方法】変更
【補正の内容】
【００４０】
また、好ましくは、配置ユニット３０２はさらに、各ユーザー装置に対して、１つのリソースブロックのうちビーム走査に使用されるＣＳＩ−ＲＳによって占有されるＯＦＤＭシンボルがＣＳＩフィードバックに使用されるＣＳＩ−ＲＳによって占有されるＯＦＤＭシンボルの前に配置されるようにＣＳＩ−ＲＳマッピング構造を配置するように配置されることができる。これは、通常、最初にＣＳＩ−ＲＳを利用してビーム走査機能を行って最適な送信／受信ビーム対を確定し、その後、確定された最適な送信／受信ビーム対を利用してＣＳＩ−ＲＳを送信してチャネル状態フィードバックを行う必要があるからであり、従って、好ましくは、ビーム走査機能に使用されるＣＳＩ−ＲＳがＣＳＩフィードバック機能に使用されるＣＳＩ−ＲＳの前にある、即ち、ビーム走査機能に使用されるＣＳＩ−ＲＳによって占有されるＯＦＤＭシンボルが時間的にＣＳＩフィードバック機能に使用されるＣＳＩ−ＲＳによって占有されるＯＦＤＭシンボルに先行する。
【手続補正４】
【補正対象書類名】明細書
【補正対象項目名】００７４
【補正方法】変更
【補正の内容】
【００７４】
制御ユニット７０６は、判定ユニット７０２によってアイドルリソース要素の利用をオンにすることが確定される場合に、Ｐ２プロセス及び／又はＰ３プロセスを行うときにアイドルリソース要素確定ユニット７０４によって確定されるアイドルリソース要素を利用してデータ及び／又は制御情報をユーザー装置に送信するように配置されることができる。
【手続補正５】
【補正対象書類名】明細書
【補正対象項目名】００９５
【補正方法】変更
【補正の内容】
【００９５】
図１０Ｂに示すシグナリングインタラクティブプロセスは、図１０Ａに示すシグナリングインタラクティブプロセスと実質的に同じであり、相違点は、ステップＳ１００４’では、基地局がＰ２プロセス及び／又はＰ３プロセスを行うことをトリガーするユーザ装置の数が第２の閾値よりも大きいことを基地局によって確定し、ステップＳ１００５’では、セル全体でのビーム走査プロセスを行うことをセル内の全てのユーザー装置にブロードキャストし、ステップＳ１００６’では、セルに固有のＣＳＩ−ＲＳマッピング構造をセル内の全てのユーザー装置にブロードキャストすることのみである。
【手続補正６】
【補正対象書類名】明細書
【補正対象項目名】００９７
【補正方法】変更
【補正の内容】
【００９７】
図１０Ｃに示すシグナリングインタラクティブプロセスは、図１０Ａに示すシグナリングインタラクティブプロセスと実質的に同じであり、相違点は次のようになり、ステップＳ１００４”では、基地局がＰ２プロセス及び／又はＰ３プロセスを行うユーザ装置の数が第１の閾値よりも小さいことを基地局によって確定し、ステップＳ１００５”では、アイドルリソース要素の利用をオフにすることをユーザー装置に通知するようにＣｌｏｓｅ_ＢＳ_ＲＥＳをユーザー装置に送信する。次に、ユーザー装置は、アイドルリソース利用をオフにする通知を受信した後に、基地局のオフ操作に成功したことを受信した場合、ステップＳ１００６”では、Ｏｐｅｎ_Ｃｌｏｓｅ_ＲＥＳ＝１を基地局にフィードバックすることで、その後、基地局及びユーザー装置は従来の方法でＰ２プロセス及び／又はＰ３プロセスを行うことになる。逆に、ユーザー装置がＯｐｅｎ_Ｃｌｏｓｅ_ＲＥＳ＝０をフィードバックする場合、ユーザーがオフ操作を受信できなかったことを表す。
【国際調査報告】
2020522942.tif 000022
2020522942.tif 000023
2020522942.tif 000024
2020522942.tif 000025